(57)【要約】  粒状の構築材料の構築材料層を互いに重なり合って形成し、それぞれの部分領域で隣接する複数の構築材料層を選択的に固化することで、構築空間に、少なくとも１つの３次元部品を層状に構築するように構成される。３Ｄプリンタは、固化される構築材料の均一な構築材料層の形態で構築材料を構築空間Ｂ１に供給するために構築空間Ｂ１を横切って第１方向Ｈ１に移動可能なコーティング装置３、および先に塗布された構築材料層の部分領域に、その選択的な凝固に寄与する、流動性の処理剤を制御された方法で出力するため構築空間Ｂ１を横切って第２方向Ｈ２に移動可能である印刷装置５、そしてコーティング装置３および印刷装置５を、時間的に重なり合うように構築空間Ｂ１を横切って移動するように、および／または重なり合う方法で、構築空間Ｂ１に構築材料を供給し、先に塗布された構築材料層の部分領域に制御された方法で流動性の処理剤をそれぞれ分配するように制御するように構成された制御装置Ｃを備える３Ｄプリンタが記載されている。
2021508625.tif 000002
【特許請求の範囲】
【請求項１】
第１構築空間（Ｂ１）と、これに隣接する第２構築空間（Ｂ２）とにおいて１つ以上の３次元部品を層状に形作るように構成され、
第１構築空間（Ｂ１）に第１コーティング装置（３）が割り当てられ、第２構築空間（Ｂ２）に第２コーティング装置（１３）が割り当てられ、それぞれの構築空間に、固化される構築材料の均一な構築材料層の形態で構築材料を供給するために、それぞれ第１構築空間（Ｂ１）を横切る第１方向（Ｈ１）と第２構築空間（Ｂ２）を横切る第１方向（Ｈ１）に実質的に平行である第３方向（Ｈ３）にそれぞれ移動可能であり、
第１構築空間（Ｂ１）の先に塗布された構築材料層の部分領域および第２構築空間（Ｂ２）の先に塗布された構築材料層の部分領域に流動性の処理剤を制御された方法で出力するために、第１及び第３方向（Ｈ１、Ｈ３）に対して角度をつけて配置された第２方向（Ｈ２）において第１構築空間（Ｂ１）及び第２構築空間（Ｂ２）を横切って移動可能である共通の印刷装置５を有し、
第１コーティング装置（３）の出力領域が、第１方向（Ｈ１）に垂直な方向において完全に第１構築空間（Ｂ１）に及んでおり、
第２コーティング装置（１３）の出力領域が第３方向（Ｈ３）に垂直な方向に完全に第２構築空間（Ｂ２）に及んでおり、
第１方向（Ｈ１）に沿って第１構築空間（Ｂ１）を横切る第１コーティング装置（３）によって移動する距離（Ｓ１）は、第２方向（Ｈ２）に沿って第１構築空間（Ｂ１）を横切る印刷装置（５）によって移動する(単一の)距離（Ｓ２１）以上であり、
第３方向（Ｈ３）に沿って第２構築空間（Ｂ２）を横切る第２コーティング装置（１３）によって移動する距離（Ｓ３）は、第２方向（Ｈ２）に沿って第２構築空間（Ｂ２）を横切る印刷装置（５）によって移動する(単一の)距離（Ｓ２２）以上であり、
第１構築空間（Ｂ１）を横切る第１方向（Ｈ１）における第１コーティング装置（３）の移動と、第２構築空間（Ｂ２）を横切る第３方向（Ｈ３）における第２コーティング装置（１３）の移動とが、第１構築空間（Ｂ１）を横切る第２方向（Ｈ２）における印刷装置（５）の移動と第２構築空間（Ｂ２）を横切る第２方向（Ｈ２）における印刷装置（５）の移動の少なくとも一方と時間的に重なるように、および／または、第１コーティング装置（３）による第１構築空間（Ｂ１）への構築材料の供給と第２コーティング装置（１３）による第２構築空間（Ｂ２）への構築材料の供給とが、第１構築空間（Ｂ１）および第２構築空間（Ｂ２）の少なくとも一つの先に塗布された構築材料層への流動性の処理剤の制御された出力と時間的に重なるよう、第１コーティング装置（３）、第２コーティング装置（１３）および共通の印刷装置（５）を制御するよう構成された制御装置（Ｃ）をさらに備える、３Ｄプリンタ（１０）。
【請求項２】
印刷装置（５）が第１方向（Ｈ１）に変位可能なプリントヘッド（７）を備え、制御装置（Ｃ）が、例えばプリントヘッド（７）が、例えばＵ字形経路またはＳ字形経路に沿って、完全に蛇行するパターンで第１及び第２構築空間（Ｂ１，Ｂ２）を横切って移動するように、第１構築空間（Ｂ１）の構築材料層と第２構築空間（Ｂ２）の構築材料層を選択的に印刷するため、第１及び第２構築空間（Ｂ１，Ｂ２）を横切って第２方向（Ｈ２）に複数回プリントヘッドを移動させるように構成され、
第１方向（Ｈ１）に沿って第１構築空間（Ｂ１）を横切る第１コーティング装置（３）によって移動する距離（Ｓ１）は、第２方向（Ｈ２）に沿って第１構築空間（Ｂ１）を横切る印刷装置（５）によって移動する(単一の)距離Ｓ２１より少なくとも１．２の係数まで大きく、および／または
第３方向（Ｈ３）に沿って第２構築空間Ｂ２を横切る第２コーティング装置（１３）によって移動する距離（Ｓ３）は、第２方向（Ｈ２）に沿って第２構築空間（Ｂ２）を横切る印刷装置（５）によって移動する(単一の)距離（Ｓ２２）より少なくとも１．２の係数まで大きく、および／または
第１コーティング装置（３）および第２コーティング装置（１３）がそれぞれ双方向コーティング装置として構成され、および／または印刷装置（５）が双方向印刷装置として構成される、請求項１に記載の３Ｄプリンタ（１０）。
【請求項３】
第１構築空間（Ｂ１）と第２構築空間（Ｂ２）が実質的に同じ形状と大きさを有し、および／または
第１構築空間（Ｂ１）と第２構築空間（Ｂ２）が第２方向（Ｈ２）に見て交互に配置され、および／または 
第１構築空間（Ｂ１）および第２構築空間（Ｂ２）がそれぞれ、例えば２つの長辺および２つの短辺を有する長方形に形成され、第１および第２構築空間（Ｂ１、Ｂ２）は互いに隣接する２つの長辺を有するように配置され、および／または第１方向（Ｈ１）および第３方向（Ｈ３）がそれぞれ第１構築空間の長辺と第２構築空間の長辺に対して実質的に平行であり、および／または
印刷装置のプリントヘッド（７）の出力領域が第２方向（Ｈ２）に垂直な方向および／または第１方向（Ｈ１）に延びており、および／または
第２方向（Ｈ２）に垂直な方向および／または第１方向（Ｈ１）におけるプリントヘッド（７）の出力領域が第１構築空間（Ｂ１）より短く、および／または第１コーティング装置（３）によって移動される距離（Ｓ１）よりも短く、例えば、実質的に半分の大きさまたはそれよりも小さく、および／または
第２方向（Ｈ２）に沿って第１構築空間（Ｂ１）を横切って印刷装置（５）により移動する単一の距離（Ｓ２１）は１．０ｍから１．４ｍ、例えば１．２ｍであり、および／または
第２方向（Ｈ２）に沿って第２構築空間（Ｂ２）を横切って印刷装置（５）により移動する単一の距離（Ｓ２２）は１．０ｍから１．４ｍ、例えば１．２ｍであり、および／または 
第１コーティング装置（３）、第２コーティング装置（１３）および共通の印刷装置（５）が第１及び第３方向に見て、共通の第１側から、第１および第２構築空間を横切って、第１及び第３方向に見て、反対側の第２側に移動するよう制御装置（Ｃ）を構成し、それによって粒状物質および流動性の処理剤をそれぞれ分配し、そして、その後任意に第１コーティング装置（３）、第２コーティング装置（１３）および共通の印刷装置（５）、例えばプリントヘッド（７）が第２側から第１側に戻り、それによって粒状物質および／または流動性の処理剤をそれぞれ再び分配する、請求項１または２に記載の３Ｄプリンタ（１０）。
【請求項４】
第２構築空間（Ｂ２）に隣接して配置された第３構築空間(Ｂ３）と、第３構築空間（Ｂ３）に割り当てられ、固化される構築材料の均一な構築材料層の形態で構築材料を第３構築空間(Ｂ３）に供給するために、第１方向(Ｈ１）に実質的に平行な第４方向（Ｈ４）に沿って第３構築空間（Ｂ３）を横切って移動可能な第３コーティング装置（２３）とをさらに備え、
３Ｄプリンタが第３構築空間（Ｂ３）に１つ以上の３次元部品を層状に形作るように構成され、
共通の印刷装置（５）は、第３構築空間（Ｂ３）の先に塗布された構築材料層の部分領域に流動性の処理剤を制御された方法で出力するため第３構築空間（Ｂ３）を横切って第２方向（Ｈ２）に移動可能であり、
第３コーティング装置（２３）の出力領域が第４方向（Ｈ４）に垂直な方向において完全に第３構築空間（Ｂ３）に及んでおり、 
第４方向（Ｈ４）に沿って第３構築空間（Ｂ３）を横切って第３コーティング装置（２３）が移動する距離が、第２方向（Ｈ２）に沿って第３構築空間（Ｂ３）を横切って印刷装置（５）が移動する(単一の)距離以上であり、
制御装置（Ｃ）は、関連する構築空間を横切るコーティング装置のそれぞれの移動が、構築空間（２、１２、２３）の少なくとも１つを横切る第２方向（Ｈ２）における共通の印刷装置（５）の移動と時間的に重なるように、および／または関連するコーティング装置によるそれぞれの構築空間への構築材料の供給が構築空間（２、１２、２３）の少なくとも１つに先に塗布された構築材料層への流動性の処理剤の制御された出力と時間的に重なるよう、第１コーティング装置（３）、第２コーティング装置（１３）、第３コーティング装置（２３）および共通の印刷装置（５）を制御するように構成される、請求項１〜３のいずれか一項に記載の３Ｄプリンタ（１０）。
【請求項５】
３Ｄプリンタの第１構築空間（Ｂ１）内で、少なくとも１つの３次元部品、例えば鋳造型または鋳造中子を、および第１構築空間（Ｂ１）に隣接して配置された３Ｄプリンタの第２構築空間（Ｂ２）内で、少なくとも１つの３次元部品、例えば鋳造型または鋳造中子を製造するための生成的製造プロセスであり、
前記第１構築空間（Ｂ１）を横切って第１方向（Ｈ１）に移動して各層を塗布する第１コーティング装置（３）を用いて、第１構築空間（Ｂ１）内に、重なり合った粒状の構築材料の層、例えば砂粒子を含む層を形成し、
第１方向に実質的に平行な第３方向（Ｈ３）に第２構築空間（Ｂ２）を横切って移動して各層を塗布する第２コーティング装置（３）を用いて、第２構築空間（Ｂ２）内に、重なり合った粒状の構築材料の層、例えば砂粒子を含む層を形成し、
第１構築空間（Ｂ１）内の先に塗布された構築材料層の部分領域と第２構築空間（Ｂ２）内の先に塗布された構築材料層の部分領域に、それぞれの構築材料層の選択的な固化に寄与する、流動性の処理剤を制御された方法で出力するため、第１及び第３方向（Ｈ１、Ｈ３）に対して角度をつけて配置されている第２方向（Ｈ２）に第１構築空間（Ｂ１）及び第２構築空間（Ｂ２）を横切って移動する共通の印刷装置（５）を用いて、第１構築空間（Ｂ１）内のそれぞれの部分領域に複数の隣接する構築材料層を選択的に印刷し、第２構築空間（Ｂ２）内のそれぞれの部分領域に複数の隣接する構築材料層を選択的に印刷し、
第１コーティング装置（３）の出力領域が第１方向（Ｈ１）に垂直な方向に完全に第１構築空間（Ｂ１）に及んでおり、 
第２コーティング装置（１３）の出力領域が第３方向（Ｈ３）に垂直な方向に完全に第２構築空間（Ｂ２）に及んでおり、 
第１方向（Ｈ１）に沿って第１構築空間（Ｂ１）を横切る第１コーティング装置（３）が移動する距離（Ｓ１）は、第２方向（Ｈ２）に沿って第１構築空間（Ｂ１）を横切る印刷装置（５）が移動する(単一の)距離（Ｓ２１）以上であり、 
第３方向（Ｈ３）に沿って第２構築空間（Ｂ２）を横切る第２コーティング装置（１３）が移動する距離（Ｓ３）は、第２方向（Ｈ２）に沿って第２構築空間（Ｂ２）を横切る印刷装置（５）が移動する(単一の)距離（Ｓ２２）以上であり、
第１構築空間（Ｂ１）を横切る第１方向（Ｈ１）の第１コーティング装置（３）の移動と第２構築空間（Ｂ２）を横切る第３方向（Ｈ３）の第２コーティング装置（１３）の移動が、第１構築空間（Ｂ１）を横切る第２方向（Ｈ２）の共通の印刷装置（５）の移動と第２構築空間（Ｂ２）を横切る第２方向（Ｈ２）の共通の印刷装置（５）の移動の少なくとも一方と時間的に重なるように実施され、および／または、第１コーティング装置（３）による第１構築空間（Ｂ１）への構築材料の供給と第２コーティング装置（１３）による第２構築空間（Ｂ２）への構築材料の供給が第１構築空間（Ｂ１）および第２構築空間（Ｂ２）の少なくとも一方の先に塗布された構築材料層への流動性の処理剤の制御された出力と時間的に重なるよう実施される、生成的製造プロセス。
【請求項６】
共通の印刷装置（５）が第１方向（Ｈ１）に変位可能な共通のプリントヘッド（７）を備え、共通のプリントヘッド（７）は、例えば、プリントヘッド（７）が、例えばＵ字形経路またはＳ字形経路に沿って、完全に蛇行するパターンで第１及び第２構築空間（Ｂ１，Ｂ２）を横切って移動するように、第１構築空間（Ｂ１）の構築材料層と第２構築空間（Ｂ２）の構築材料層を選択的に印刷するため、第１及び第２構築空間（Ｂ１，Ｂ２）を横切って第２方向Ｈ２に複数回移動し、および／または
第１方向（Ｈ１）に沿って第１構築空間（Ｂ１）を横切る第１コーティング装置（３）によって移動する距離（Ｓ１）は、第２方向（Ｈ２）に沿って第１構築空間（Ｂ１）を横切る印刷装置（５）によって移動する(単一の)距離（Ｓ２１）より少なくとも１．２の係数まで大きく、および／または
第３方向（Ｈ３）に沿って第２構築空間（Ｂ１）を横切る第２コーティング装置（１３）によって移動する距離（Ｓ３）は、第２方向（Ｈ２）に沿って第２構築空間（Ｂ２）を横切る印刷装置（５）によって移動する(単一の)距離（Ｓ２２）より少なくとも１．２の係数まで大きく、および／または
第１コーティング装置（３）および第２コーティング装置（１３）がそれぞれ双方向コーティング装置として動作し、および／または印刷装置（５）が双方向印刷装置として動作し、および／または
第１構築空間（Ｂ１）と第２構築空間（Ｂ２）が実質的に同じ形状と大きさを有し、および／または
第１構築空間（Ｂ１）と第２構築空間（Ｂ２）が第２方向（Ｈ２）に見て交互に配置され、および／または
第１構築空間（Ｂ１）および第２構築空間（Ｂ２）がそれぞれ、例えば２つの長辺および２つの短辺を有する長方形に形成され、第１および第２構築空間（Ｂ１、Ｂ２）は互いに隣接する２つの長辺を有するように配置され、および／または第１方向（Ｈ１）および第３方向（Ｈ３）がそれぞれ第１と第２構築空間（Ｂ１、Ｂ２）の長辺に対して実質的に平行であり、および／または
印刷装置のプリントヘッド７の出力領域が第２方向（Ｈ２）に垂直な方向および／または第１方向（Ｈ１）に延びており、および／または
プリントヘッド（７）の出力領域が第２方向（Ｈ２）に垂直な方向および／または第１方向（Ｈ１）において第１構築空間（Ｂ１）より短く、および／または第１コーティング装置（３）によって移動する距離（Ｓ１）よりも短く、例えば、実質的に半分の大きさまたはそれよりも小さく、および／または
第２方向（Ｈ２）に沿って第１構築空間（Ｂ１）を横切って印刷装置（５）により移動する単一の距離（Ｓ２１）は１．０ｍ〜１．４ｍ、例えば１．２ｍであり、および／または
第２方向（Ｈ２）に沿って第２構築空間（Ｂ２）を横切って印刷装置（５）により移動する単一の距離（Ｓ２２）は１．０ｍ〜１．４ｍ、例えば１．２ｍであり、および／または
第１コーティング装置（３）、第２コーティング装置（１３）およびプリントヘッド（７）が第１及び第３方向に見て、共通の第１側から、第１および第２構築空間を横切って、第１及び第３方向に見て、反対側の第２側に移動され、それによって粒状物質および流動性の処理剤をそれぞれ分配し、そしてその後任意に第１コーティング装置（３）、第２コーティング装置（１３）およびプリントヘッド（７）が第２側から第１側に戻り、それによって粒状物質および流動性の処理剤をそれぞれ再び分配する、
請求項５に記載の生成的製造プロセス。
【請求項７】
例えば砂粒子を含む粒状の構築材料の構築材料層を互いに重なり合って形成し、そのそれぞれの部分領域で隣接する複数の構築材料層を選択的に固化することで、構築空間（Ｂ１）に、例えば鋳造金型または鋳造中子などの少なくとも１つの３次元部品を層状に構築するように構成され、
固化される構築材料の均一な構築材料層の形態で構築材料を構築空間（Ｂ１）に供給するため構築空間（Ｂ１）を横切って第１方向（Ｈ１）に移動可能であるコーティング装置（３）、および先に塗布された構築材料層の部分領域に流動性の処理剤を制御された方法で出力するため構築空間（Ｂ１）を横切って第２方向（Ｈ２）に移動可能であり、この処理剤はその選択的な凝固に寄与する、印刷装置（５）を備え、
第１方向（Ｈ１）と第２方向（Ｈ２）は交差し、それにより角度を形成し、
第１コーティング装置（３）の出力領域が、第１方向（Ｈ１）に垂直な方向に完全に第１構築空間（Ｂ１）に及んでおり、
第１方向（Ｈ１）に沿って第１構築空間（Ｂ１）を横切るコーティング装置（３）によって移動する距離（Ｓ１）は、第２方向（Ｈ２）に沿って構築空間（Ｂ１）を横切る印刷装置（５）によって移動する(単一の)距離（Ｓ２）以上であり、 
さらに、コーティング装置（３）および印刷装置（５）を、時間的に重なり合うように構築空間（Ｂ１）を横切って移動するように、および／または重なり合う方法で構築空間（Ｂ１）に構築材料を供給し、先に塗布された構築材料層の部分領域に制御された方法で流動性の処理剤をそれぞれ分配するように制御するように構成された制御装置Ｃを備える、３Ｄプリンタ（１）。
【請求項８】
前記印刷装置５が第１方向（Ｈ１）に変位可能なプリントヘッド（７）を備え、前記制御装置（C）は、例えばプリントヘッド（７）が、例えばＵ字形経路またはＳ字形経路に沿って、完全に蛇行するパターンで構築空間（Ｂ１）を横切って移動するように、構築材料層を選択的に印刷するために、構築空間（Ｂ１）を横切って第２方向（Ｈ２）に複数回プリントヘッド（７）を移動させるように構成されている、請求項７に記載の３Ｄプリンタ（１）。
【請求項９】
コーティング装置（３）が双方向コーティング装置として構成され、および／または印刷装置（５）が双方向印刷装置として構成される、請求項７または８に記載の３Ｄプリンタ（１）。
【請求項１０】
印刷装置のプリントヘッド（７）の出力領域が、第２方向（Ｈ２）に垂直な方向および／または第１方向（Ｈ１）に延びており、および／または
プリントヘッド（７）の出力領域が、第２方向（Ｈ２）に垂直な方向および／または第１方向（Ｈ１）において第１構築空間（Ｂ１）より短く、および／またはコーティング装置（３）によって移動する距離（Ｓ１）よりも短く、例えば、実質的に半分の大きさまたはそれよりも小さい、請求項７〜９のいずれか一項に記載の３Ｄプリンタ（１）。
【請求項１１】
第１方向（Ｈ１）と第２方向（Ｈ２）が交差し、それにより角度、例えば実質的に９０°の角度を形成し、および／または
構築空間（Ｂ１）が、平面視において、例えば２つの長辺および２つの短辺を有する長方形に形成され、例えば、第１方向（Ｈ１）が構築空間（Ｂ１）の長辺に対して実質的に平行であり、および／または
コーティング装置（３）によって移動される距離（Ｓ１）は、第２方向（Ｈ２）に沿って構築空間（Ｂ１）を横切って印刷装置（５）によって移動される単一距離（Ｓ２）よりも、例えば少なくとも１．２の係数まで大きい、および／または
第２方向（Ｈ２）に沿って構築空間（Ｂ１）を横切って印刷装置（５）によって移動される単一距離（Ｓ２）は１．０ｍから１．４ｍ、たとえば１．２ｍである、請求項７〜１０のいずれか一項に記載の３Ｄプリンタ（１）。
【請求項１２】
制御装置（Ｃ）がコーティング装置（３）および印刷装置（５）、例えばプリントヘッド（７）を、第１方向に見て、共通の第１側から、構築空間を横切って、第１方向に見て、反対側の第２側に移動させ、それによって粒状物質および流動性の処理剤をそれぞれ分配させ、その後、任意に、コーティング装置（３）および印刷装置（５）は、第２側から第１側に戻って、それによって粒状物質および流動性の処理剤をそれぞれ再び分配する、請求項７〜１１のいずれか一項に記載の３Ｄプリンタ（１）。
【請求項１３】
３Ｄプリンタの第１構築空間内で、少なくとも１つの３次元部品、例えば鋳造型または鋳造中子を製造するための生成的製造プロセスであって、
各層を塗布するため第１構築空間（Ｂ１）を横切って第１方向（Ｈ１）に移動するコーティング装置（３）を用いて、重なり合った粒状の構築材料の層、例えば砂粒子を含む層を形成し、そして
先に塗布された構築材料層の部分領域に、選択的固化に寄与する、流動性の処理剤を制御された方法で出力するため、構築空間（Ｂ１）を横切る第２方向（Ｈ２）に移動する印刷装置（５）を用いて１つまたはそれ以上の隣接する構築材料層をそれぞれの部分領域に選択的に印刷し、
第１方向（Ｈ１）と第２方向（Ｈ２）は交差し、それにより角度を形成し、
第１コーティング装置（３）の出力領域が、第１方向（Ｈ１）に垂直な方向に完全に第１構築空間（Ｂ１）に及んでおり、
第１方向（Ｈ１）に沿って第１構築空間（Ｂ１）を横切るコーティング装置（３）によって移動する距離（Ｓ１）は、第２方向（Ｈ２）に沿って構築空間（Ｂ１）を横切る印刷装置（５）によって移動する(単一の)距離（Ｓ２）以上であり、 
コーティング装置（３）と印刷装置（５）は、時間的に重なるように構築空間（Ｂ１）を横切って移動し、および／またはコーティング装置（３）と印刷装置（５）が重なり合う方法でそれぞれ構築材料を構築空間（Ｂ１）に供給し、流動性の処理剤を先の塗布された構築材料層の部分領域に分配する、生成的製造プロセス。
【請求項１４】
印刷装置５が第１方向（Ｈ１）に変位可能なプリントヘッド（７）を備え、プリントヘッド（７）が、例えば、プリントヘッド（７）が例えばＵ字形経路またはＳ字形経路に沿って、完全に蛇行するパターンで構築空間（Ｂ１）を横切って移動するように、構築材料層を選択的に印刷するために、構築空間（Ｂ１）を横切って第２方向（Ｈ２）に複数回移動し、および／または
双方向コーティング装置（３）がコーティング装置（３）として使用され、粒状構造材料が、第１方向に移動の間および第１方向へ戻る移動の間コーティング装置（３）により分配され、および／または
双方向印刷装置（５）が印刷装置（５）として使用され、流動性の処理剤が、第２方向に移動の間および第２方向へ戻る移動の間に印刷装置（５）により分配され、 および／または
コーティング装置（３）およびプリントヘッド（７）は、第１方向に見て、共通の第１側から出発して、構築空間を横切って、第１方向に見て、反対側の第２側に移動され、それにより粒状材料および流動性の処理剤をそれぞれ分配し、そして、その後任意にコーティング装置（３）およびプリントヘッド（７）が第２側から第１側に戻り、それにより粒状物質および流動性の処理剤を再びそれぞれ分配する、請求項１３に記載の生成的製造プロセス。
【請求項１５】
印刷装置のプリントヘッド（７）の出力領域が第２方向（Ｈ２）に垂直な方向および／または第１方向（Ｈ１）に延びており、および／または 
プリントヘッド（７）の出力領域が、第２方向（Ｈ２）に垂直な方向および／または第１方向において、第１構築空間（Ｂ１）より短く、および／またはコーティング装置（３）によって移動する距離（Ｓ１）よりも短く、例えば、実質的に半分の大きさまたはそれよりも小さく、および／または 
第１方向（Ｈ１）と第２方向（Ｈ２）が交差し、それにより角度、例えば実質的に９０°の角度を形成し、および／または
構築空間（Ｂ１）が、平面視において、例えば２つの長辺および２つの短辺を有する長方形に形成され、例えば、第１方向（Ｈ１）が構築空間（Ｂ１）の長辺に対して実質的に平行であり、および／または
コーティング装置（３）によって移動される距離（Ｓ１）は、第２方向（Ｈ２）に沿って構築空間（Ｂ１）を横切って印刷装置（５）によって移動される単一距離（Ｓ２）よりも、例えば少なくとも１．２の係数まで大きく、および／または
第２方向（Ｈ２）に沿って構築空間（Ｂ１）を横切って印刷装置（５）によって移動される単一距離（Ｓ２）は１．０ｍ〜１．４ｍ、たとえば１．２ｍである、請求項１３または１４に記載の生成的製造プロセス。
【発明の詳細な説明】
【技術分野】
【０００１】
本発明は、請求項１あるいは請求項７の前文に記載の３Ｄプリンタおよび請求項５あるいは請求項１３の前文に記載の生成的製造プロセスに関する。
【背景技術】
【０００２】
様々な生成的製造プロセス(および結果として、様々なタイプの３Ｄプリンタ)が知られている。
【０００３】
一部の生成的製造プロセスは、以下の共通のステップを有する：
（１）最初に、粒状材料を構築フィールドの表面全体に塗布して、未固化の粒状材料層を形成する。
（２）未固化の粒状材料塗布層は、例えば、結合剤などの処理剤を選択的に印刷することによって、所定の部分領域で選択的に固化される。
（３）ステップ（１）および（２）を繰り返して、所望の部品を製造する。この目的のため、部品が層状に構築される構築プラットフォームは、例えば、新しい層を塗布する前に、それぞれ１層分の厚さだけ低くしてもよい（あるいは、コーティング装置および印刷装置を、例えば、それぞれ１層分の厚さだけ高くしてもよい）。
（４）最後に、ゆるい、未固化の粒状材料で支持され囲まれている製造済み部品を取り出すことができる。
【０００４】
１つまたは複数の部品が製造される構築空間は、例えば、いわゆる構築ボックス（「ジョブボックス」とも呼ばれる）によって画定されてもよい。このタイプの構築ボックスは、上方向に開口し、垂直方向に延びる周壁構造（例えば、４つの垂直な側壁によって形成される）を有してもよく、例えば、上から見て長方形となるように形成されてもよい。高さ調整可能な構築プラットフォームは、構築ボックスに収容することができる。この点において、構築プラットフォームの上方および垂直周壁構造の間の空間は、例えば、構築空間の形成に少なくとも寄与し得る。構築空間の上部領域は、例えば、構築フィールドと呼ばれる場合がある。そのような構築ボックスの例は、例えば、独国特許出願公開第１０２００９０５６６９６号明細書に記載されている。
【０００５】
コーティング装置(「リコータ」とも呼ばれる)を有するコーティング装置配置は通常、上記のステップ（１）で使用される。３Ｄプリンタで使用するための様々なコーティング装置配置が知られており、これを用いて、表面全体に均一な層の形態で、粒状構築材料を構築フィールド（構築面または構築領域とも呼ばれる）に塗布することができる。
【０００６】
コーティング装置配置の１つのタイプは、ローラ（つまり、「ローラコーティング装置」）を使用し、まず一定量の粒状構築材料をローラの手前に置き、次にローラを構築フィールドを横切って（例えば、水平に）移動させて、均一な層の形態で、粒状構築材料を構築フィールドに塗布する。この点において、ローラは、移動方向とは反対方向に回転することができる。このタイプのコーティング装置配置は、小さな構築フィールド用、およびコーティング装置が及ぶ短い距離用に特に適している。
【０００７】
別の種類のコーティング装置配置（いわゆる「容器コーティング装置」、例えば「スロットコーティング装置」を有するコーティング装置配置）は、構築フィールドを横切って（例えば、水平に）変位可能であり、構築フィールドへの粒状構築材料を出力する開口部につながる粒状構築材料を収容する内部キャビティを画定する容器を有するコーティング装置を使用する。コーティング装置は、例えば、長方形の構築フィールドの長さまたは幅に及び、またはカバーするように、延びていてもよい。その後、開口部は長手方向スロットとして設けてもよい。そのため、コーティング装置は、構築フィールドを横切って（例えば、水平に）移動することが可能であり、同時に構築フィールドへ開口部から粒状構築材料を出力することができ、そのため構築フィールドの表面全体に均一な層を塗布することができる。このタイプのコーティング装置の一例は、例えば、独国特許出願公開第１０２０１４１１２４５４号明細書に記載されている。
【０００８】
上記のステップ（２）において、例えば、先に塗布された構築材料層のサブエリアに、制御された方法で処理剤を塗布する、プリントヘッドを有する印刷装置を使用してもよい。
処理剤は、サブエリアの構築材料層の固化に寄与する。例えば、処理剤は、例えば多成分結合剤の結合剤成分などの結合剤であり得る。
【０００９】
本出願の意味の範囲内の粒状構築材料は、少なくとも１種類の粒状材料（例えば砂（の粒子）、例えば鋳物砂、および／または金属粒子および／または合成材料の粒子）を含む構築材料として理解され得る。構築材料には、複数の異なるタイプの粒状材料、例えば新しい砂と再生砂の混合物、細かい砂と粗い砂の混合物、または２つの異なるタイプの砂の混合物なども同様に含めることができる。さらに、構築材料は、少なくとも１つの液体成分、例えば結合剤成分、例えば活性剤、および／または１つ以上の固体および／または液体添加剤を含むことができる。構築材料が結合剤成分を含む場合、フラン樹脂などの別の結合剤成分を、先に塗布された構築材料層上に印刷装置によって選択的に印刷して、この層を所定の領域内で固化させることができる。製造される部品、例えば、鋳造金型または鋳造中子に応じて、この目的のために特別に準備された構築材料組成物が、使用され得る。この点において、構築材料組成物は、使用される部品の数、ならびに構築材料（混合物）内に含まれる部品のそれぞれのタイプおよびそれぞれの割合によって規定され得る。
【００１０】
請求項１あるいは請求項７の前文に記載の３Ｄプリンタの例は、国際公開第２０１６／０３０４０５号明細書から知られている。例えば、当該文献の図１を参照。そこに示された３Ｄプリンタは、同時に２つの構築ボックスを受領することができ、そのため２つの構築ジョブ（＝割り当てられた構築空間内における１つ以上の部品の生成的製造）を並行して実行することができる。２つの構築空間は、長方形となるように形成され、それぞれの短辺に沿って隣り合うように配置されている。構築ボックスまたは構築空間はそれぞれ長方形の長辺に垂直に沿って割り当てられたコーティング装置を有し、長方形の短辺に垂直に沿う共通の印刷装置は、第１および第２構築空間の両方に働く。国際公開第２０１６／０３０４０５号明細書によると、上記のコーティング装置および共通の印刷装置の配置により、１つまたは複数の構築ジョブを迅速に行うことができる。当該文献の５頁目から６頁目にまたがる段落、および１３頁目の最終段落を参照。
【発明の開示】
【発明が解決しようとする課題】
【００１１】
本発明は、請求項１に記載の３Ｄプリンタ、請求項７に記載の３Ｄプリンタ、請求項５に記載の生成的製造プロセス、および請求項１３に記載の生成的製造プロセスを提供する。さらなる発明の実施形態は、それぞれの従属請求項に記載されている。
【課題を解決するための手段】
【００１２】
本発明の様々な例示的な実施形態によれば、３Ｄプリンタおよび生成的製造プロセスが提供され、それによって、適切な品質の部品が適切な時間に合理的な努力で製造され得る。本発明の様々な例示的な実施形態によれば、適切な品質の部品を容易に、確実に、かつ迅速に製造することができる。
【００１３】
本発明の一態様によれば、３Ｄプリンタは、たとえば、砂粒子を含む粒状の構築材料の構築材料層を互いに重なり合って形成し、そのそれぞれの部分領域で（厚さ方向に）隣接するいくつかの構築材料層を（製造される部品のそれぞれの断面に応じて）選択的に固化することで、構築空間に、例えば鋳造金型または鋳造中子などの３次元部品を層状に構築するように構成される。例えば、構築空間は、構築プラットフォームにより少なくとも共形成／共開発されてもよく、またはその上に配置されてもよい。すなわち、３Ｄプリンタは、その上に1つまたは複数の部品が建てられる構築プラットフォームを備えてもよい。
さらに、構築空間は、上述の構築ボックスによって形成／規定されてもよい。すなわち、３Ｄプリンタは、例えば、上述の構築ボックスを備えてもよい。３Ｄプリンタは、固化される構築材料の均一な構築材料層の形態で構築材料を構築空間に供給するため、構築空間を横切って第１方向（例えば第１水平方向）に移動可能なコーティング装置、および先に塗布された構築材料層の部分領域に流動性の処理剤を制御された方法で出力するため、構築空間を横切って第２方向（例えば第２水平方向）に移動可能な印刷装置から構成されており、それはその選択的な固化に寄与する。例えば、コーティング装置は、いわゆる「容器コーティング装置」（上記参照；構築空間を横切って（例えば水平に）移動でき、粒状の構築材料を収容する内部キャビティを画定する容器を備え、粒状の構築材料を構築フィールドまたは構築空間に出力するための開口部で開口するコーティング装置）として構成されてもよく、例えば、いわゆる「スロットコーティング装置」として、その開口部は長く延びるスロットとして構成される。３Ｄプリンタはさらに、時間的に重なり合う方法で構築空間を横切って移動するように、および／または重なり合う方法で、構築材料を構築空間に供給するか、または先に塗布された構築材料層の部分的な領域に制御された方法で流動性処理剤を出力するようにコーティング装置および印刷装置を制御するように構成された制御装置を含む。
【００１４】
例示として、本発明によれば、請求項１の前文に記載のタイプの３Ｄプリンタにおいて、構築空間を横切る印刷装置の移動と、構築空間を横切るコーティング装置の移動を重ね合わせることで、および／または、構築空間への構築材料の供給と、先に塗布された層への流動性の処理剤の出力を重ね合わせることで、構築ジョブに要する時間を短縮することができる。
【００１５】
換言すれば、本発明によれば、印刷装置によって実行される印刷動作と、コーティング装置によって実行されるコーティング動作を、例えば、可能な限り、部分的に並列化するように構成された制御装置を提供することによって、３Ｄプリンタの性能および出力を向上させることができる。したがって、本発明によれば、常に印刷またはコーティングが実行される従来技術とは異なり、印刷プロセスとコーティングプロセスが互いに重なり合う。すなわち、従来技術では、コーティングプロセスと印刷プロセスは時間的に分離され、それぞれに続く。印刷プロセスとコーティングプロセスがどの程度並列化されているか、あるいはどの程度重なっているか、そして印刷プロセスとコーティングプロセスが最終的にどの程度お互いに並列化されているかは、とりわけ、それぞれの用途に依存する。
換言すれば、本発明によれば、印刷およびコーティングは、構築空間内で部分的／一時的に同時に／並行して行われる。例えば、コーティング装置が層を塗布し始め、コーティング装置が十分に移動した後、または層が第１方向に十分に塗布された後、層の第１セクション（いわゆるプリントセクション、例えば 「最初のクロスストリップ」）は、「コーティング装置の後方」またはその後ろで印刷できるため、完全な層の完成を待つ必要はない。
この目的のために、印刷装置は、例えば、第１方向にセグメント化されたプリントヘッドを有してもよく、そのセグメント（例えば、プリントセクションまたは印刷ストリップごとに１つのセグメント）は、構築空間を横切って第２方向に別々に移動可能であり、または第１方向に変位可能なプリントヘッドを有してもよい（下記参照）。したがって、一般に、印刷装置は、第１方向に見て、順に配置され連続して処理される複数のプリントセクションで、構築空間または先に塗布された層に選択的に印刷するように構成されてもよく、それぞれのプリントセクションは印刷装置によって第２方向に沿って通る。しかし、代替的に、コーティング装置はまた印刷装置の後方で動作してもよく、すなわち、印刷装置は、既に完全に塗布された層の印刷を開始してもよく、例えば、層の第１セクション（第１プリントセクションに相当する）、または十分に大きな領域が印刷装置によって完全に処理された後、コーティング装置が新たな層の塗布を開始してもよい。すなわち、「新しく」印刷された第１プリントセクションのコーティングをしてもよい。
【００１６】
例えば、制御装置は、２０％以上、例えば２５％以上、例えば３０％以上、例えば３５％以上、例えば４０％以上、例えば４５％以上、例えば５０％以上、例えば５５％以上、例えば６０％以上の重なりの度合いがあるように、コーティング装置と印刷装置を制御してもよい。例えば、重なりの度合いは以下のように計算されてもよい:
ｔＢ，Ｄ／ｔＢ＊１００、ここで、ｔＢは層をコーティングまたは塗布するのに要する時間（すなわち、コーティング装置が構築空間を横切って移動する時間）であり、ｔＢ，Ｄは、印刷とコーティングの両方にかかる時間、またはコーティング装置と印刷装置が時間的な重なりとともに構築空間を横切って移動する時間（例えば、構築空間を横切って印刷装置の個々の走行の間に可能な旋回セクションを含むが、コーティング装置を進めるために印刷装置が２つの個々の走行の間に静止している／休止している間の印刷装置の可能な待機期間／停止期間を除く）である。例えば、印刷装置が（連続して）コーティング装置の後方で動作する場合には、重なり度合いは、例えば、印刷の開始（印刷装置が第２方向に構築空間を通過するためにそこに到達した時）からの残りのコーティング時間を総コーティング時間（１層分）で割った商から計算することができる。例えば、コーティング装置が印刷装置の後方で動作する場合には、重なり度合いは、例えば、コーティング開始（コーティング装置が第１方向に構築空間を通過するためにそこに到達した時）からの残りの印刷時間を総コーティング時間（１層分）で割った商からから計算することができる。
【００１７】
一実施形態によれば、３Ｄプリンタにおいて、印刷装置は、第１方向に変位可能なプリントヘッドを含んでもよく、例えば、プリントヘッドが構築空間を横切って、例えば、Ｕ字形経路（２つの個々の走行で構成される）またはＳ字形経路（３つの個々の走行）に沿って、一般的に蛇行パターンで（双方向性プリントヘッドの場合）移動するように、構築材料層を選択的に印刷する（または構築材料層を選択的に固化する、または層のそれぞれの部分領域を印刷する）ため、制御装置はプリントヘッドを複数回（オフセットして）構築空間を横切って第２方向に移動させる。この目的のために、印刷装置は、例えば、第１方向に延び、プリントヘッドが移動可能に取り付けられるプリントヘッドキャリアを構成してもよく、ここで、プリントヘッドキャリアは順番にリニアガイドに取り付けられてもよく、例えばその２つの端部側に取り付けられてもよく、これに沿って、プリントヘッドキャリアは、構築空間を横切って第２方向に移動可能になっている。この点において、プリントヘッドを第１方向に移動させることにより、複数のプリントセクション、例えば複数のプリントストリップが形成されてもよく、例えば、これらのプリントセクションは、第１方向に見て互いに平行に、かつ、交互に配置されてもよい。この点において、制御装置は、例えば、第１方向に見てエッジ部でプリントセクションを重ね合わせるように構成されていてもよい。
【００１８】
例示として、この実施形態によれば、重なりの潜在性が効果的に使用され得る。例えば、例示として、第１プリントストリップ／プリントセクションの印刷は、コーティング装置が第１方向に十分に遠くまで、すなわち第１方向に第１プリントストリップ／プリントセクションの延長部を越えて移動するとすぐに開始されてもよく、または逆にコーティング装置は第１プリントストリップ／プリントセクションが印刷された後、印刷装置が完全に構築空間（または残りのプリントセクション）を移動する前に、構築空間を横切って移動されうる。
【００１９】
代替的または追加的に、３Ｄプリンタの一実施形態によれば、第１方向に沿って構築空間を横切ってコーティング装置によって移動される距離は、第２方向に沿って構築空間を横切って一旦移動する際に印刷装置によって移動される距離以上であってもよい。
したがって、構築空間を横切って第１方向へのコーティング装置の単一の移動は、構築空間を横切って第２方向への印刷装置の単一の移動以上である。換言すれば、第１方向の構築空間の寸法は、第２方向の構築空間の寸法以上であってもよい。したがって、構築空間は、上面図で２つの長辺および２つの短辺を有する正方形または長方形であり得る。後者の場合、コーティング装置の経路は長辺に対応し、（単一の）印刷装置の経路は短辺に対応する。
【００２０】
例示として、この実施形態によれば、重なりの潜在性は、例えば上記の実施形態と組み合わせて、特定の効果的な方法で使用されてもよい。換言すれば、第１方向に見たときに、印刷領域が次々と配置されるプリントセクションに分割されることが好ましい。
【００２１】
コーティング装置および印刷装置の配置が、構築フィールドを横切ってコーティング装置によって移動される距離が、構築フィールドを横切って印刷装置によって移動される距離以上となるように選択される場合、すなわち、国際公開第 ２０１６／０３０４０５号明細書に記載の配置の逆である場合、または、（第１方向に沿って）コーティング装置によって横断される第１構築空間の距離または延長部が、（第２方向に沿って）印刷装置によって横断される構築空間の距離または延長部以上となる場合、それにより、様々な実施形態によれば、コーティング装置はより長い距離（少なくともより短いものではない）を走行し、それによりそれ自体がより短い距離（少なくともより長いものではない）に及ぶことができるので、製造されるべき部品の適切な品質が、例えば、合理的なコストおよび／または合理的な複雑さで保証されることが可能であり得る。この点に関して、コーティング装置が部品の品質に影響を与えることなく（例えば、出力構築材料をストロークさせるためのコーティング装置ブレードのような、コーティング装置、またはコーティング装置部品の歪み結果として）コーティング装置が及ぶことのできるそれぞれの長さ／距離は、実際には（特に合理的なコストおよび／または合理的な複雑さで）制限されていることを考慮に入れるべきである。一方、１つの、そして同一の構築空間に対して複数のコーティング装置を使用することは、（特に２つのコーティング装置の間に）均一な層を塗布することがもはや不可能であるか、または少なくとも非常に困難であるかもしれないため、問題となる可能性がある。
【００２２】
さらに、本発明の発明者らは驚くべきことに、コーティング装置をより長い距離（少なくとも短いものではなく）にわたって移動させることは、必ずしも全体の製造時間を長くする必要はないが、コーティング装置の比較的長い距離と実行時間を利用して、印刷プロセスとコーティングプロセスとを効果的な方法で重ね合わせたり、「並列化」したりすることができることに気付いた。
【００２３】
上述のように、印刷装置のプリントヘッドは、例えば、第１／長手方向に沿ってセグメント化されていてもよく、または第１／長手方向に沿って構築フィールドの一部のみを覆っていてもよいが、第１方向に変位可能に構成されていてもよく、プリントヘッドまたはそのセグメントは、コーティング装置が構築空間を横切る完全な経路を作る前であっても、コーティング装置が第１方向に十分な距離を移動した後であっても、第２方向に（第１プリントセクションに沿って）構築フィールドを横切って移動される。換言すれば、本発明者らは、前記配置を有する印刷とコーティングの２つのプロセスの間に特に大きな重なりの可能性があることを認識している。したがって、本発明者らは、この点での偏見（コーティング装置を短い方向に沿って移動させること）を克服し、重なりの潜在性が特定の効果的な方法で使用される場合、逆の配置を用いた場合よりも、同等の条件下で、前記配置を用いてさらに短い製造時間を達成することができる。
【００２４】
代替的または追加的に、一実施形態によれば、３Ｄプリンタにおいて、コーティング装置は双方向コーティング装置として構成されてもよく、および／または印刷装置は双方向印刷装置として構成されてもよい。すなわち、コーティング装置は、構築空間を横切って（それぞれの場合には第１方向の）往復走行中に、均一な層の形態で構築材料を出力するように構成されていてもよい。この目的のために、コーティング装置は、例えば、（第１方向に）開口部の両側にストローク部材（例えば、コーティング装置ブレード）を有する容器コーティング装置として構成されてもよく、例えば、そのそれぞれの角度は、迎え角/傾斜角などは調整可能である。例えば、ストローク部材は、開口部からの出力された構築材料をストロークするように適合された下向きのストローク面を有することができ、それにより、出力された粒状材料を平坦化および／または圧縮する。適切なコーティング装置は、例えば、独国特許出願公開第１０２０１４１１２４６９号明細書に記載されており、その内容は参照により本明細書に組み込まれる。
【００２５】
例示として、この実施形態によれば、構築作業に必要な時間をさらに短縮することができ、３Ｄプリンタの性能および出力をさらに向上させることができる。
【００２６】
代替的または追加的に、３Ｄプリンタの一実施形態によれば、  コーティング装置の出力領域（例えば、コーティング装置の開口部および／またはスロット）は、第１方向に垂直な方向および／または第２方向に完全に及んでいてもよく、および／または
印刷装置の1つのまたは複数のプリントヘッドの出力部分（例えば、プリントヘッドの複数の印刷ノズルによって形成されている）は、第２方向に垂直な方向および／または第１方向に延びていてもよく、および／または
プリントヘッドの出力領域は、第２方向に垂直な方向および／または第１方向において、（その方向において）構築空間よりも短く、および／またはコーティング装置によって移動される距離よりも短く、例えば、実質的にコーティング装置によって移動される距離の半分の大きさまたはそれよりも小さくてもよい。例えば、プリントヘッドの出力領域の長さは、第１方向において、第１方向における構築空間の長さの６５％以下、例えば６０％以下、例えば５５％以下、例えば５０％以下、例えば４５％以下、例えば４０％以下、例えば３５％以下であってもよい。例えば、プリントヘッドの出力領域の長さは、第１方向において、第１方向における構築空間の長さの１０％以上、例えば１５％以上、例えば２０％以上、例えば２５％以上、例えば３０％以上であってもよい。例えば、第１方向におけるプリントヘッドの出力領域の長さは、第１方向における構築空間の長さの６５％〜１０％の範囲、例えば６０％〜１５％の範囲、例えば５５％〜１５％の範囲であってもよい。
例えば、プリントヘッドの出力領域は、第１方向において、それぞれのプリントセクション（上記参照）の延長部以上、例えば、それぞれのプリントセクションよりもわずかに大きく、例えば２０％大きく、例えば１５％大きく、例えば１０％大きく、例えば５％大きくなるように設定されてもよい。この場合、プリントヘッドの全てのプリントノズルがプリントセクションを印刷するために必要なものではなく、例えばプリントヘッドのエッジ部分に配置されているものが必要なものではない。
【００２７】
代替的または追加的に、３Ｄプリンタの一実施形態によれば、
第１方向と第２方向とが交差して、それによって角度、例えば実質的に９０°の角度を形成してもよく（実質的とは、例えば±２５°、例えば±２０°、例えば±１５°、例えば±１０°、例えば±５°を意味してもよい）、および／または
構築空間は、平面視において、例えば２つの長辺および２つの短辺を有する長方形に形成されてもよく、ここで、例えば、第１方向が、構築空間の長辺に対して実質的に平行であり（実質的とは、±１０°、例えば、±５°の偏差を意味し得る）、および／または
コーティング装置によって移動される距離は、第２方向に沿って構築空間を横切って印刷装置によって移動される単一距離よりも、例えば少なくとも１．２の係数まで、例えば少なくとも１．３の係数まで、例えば少なくとも１．４の係数まで、例えば少なくとも１．５の係数まで大きくてもよく、および／または
第２方向に沿って構築空間を横切る印刷装置によって移動される単一距離は１．０ｍから１．４ｍ、例えば１．２ｍであってよい。
【００２８】
代替的または追加的に、３Ｄプリンタの一実施形態によれば、制御装置は、コーティング装置および印刷装置、例えばプリントヘッドを、第１方向に見て、同じおよび／または共通の、第１側から出発し、構築空間を横切って、第１方向に見て、反対側の、第２側に移動させるように構成されてもよく、それにより、粒子材料および流動性の処理剤をそれぞれ分配することができる。次に任意に、コーティング装置および印刷装置は、第２側から第１側に戻って移動してもよく、それにより、（例えば、コーティング装置が双方向に動作している場合）粒子材料および流動性の処理剤をそれぞれ再び分配することができる。これらのプロセスは例えば、数回繰り返されてもよい。
【００２９】
プリントヘッドおよび／または印刷装置は、例えば、コーティング装置から離れた垂直方向に配置されていてもよく、別の平面、例えば水平面内で移動可能であってもよい。
【００３０】
例えば、制御装置は、コーティング装置よりも高速でプリントヘッドおよび／または印刷装置を変位／移動させるように構成されてもよい。
【００３１】
例えば、コーティング装置および印刷装置および／またはプリントヘッドは互いに機械的に分離されてもよく、および／または別々に移動可能であってもよい。例えば、コーティング装置は第１方向に移動可能であってもよく、その間プリントヘッドおよび／または印刷装置が同時に第２方向に移動可能であってもよい。
【００３２】
例えば、コーティング装置は、コーティング装置が取り付けられたキャリッジによって、コーティング装置のリニアガイド構造に沿って移動可能であってもよい。
【００３３】
それぞれの部分領域における複数の隣接する構築材料層の選択的な固化は、例えば、結合剤の噴射、すなわち、（粒状の）構築材料を結合剤で／を使用して（選択的に）接着させることによって、達成されてもよい。
【００３４】
本発明の第１の態様に従って上述した原理はまた、いわゆるマルチコンストラクションスペース３Ｄプリンタ、例えば２つ、３つ以上の隣接する構築空間を有する３Ｄプリンタに適用することができ、特に好適である。
【００３５】
本発明のさらなる第２の態様によれば、第１構築空間およびそれに隣接する第２構築空間に（例えば、そこから離れて配置された）１つ以上の３次元部品を層状に構築するように構成された３Ｄプリンタ（マルチコンストラクションスペース３Ｄプリンタ）が設けられ、ここで、第１構築空間には第１コーティング装置が割り当てられ、第２構築空間には第２コーティング装置が割り当てられており、固化される構築材料の均一な構築材料層の形態で構築材料をそれぞれの構築空間に供給するため、第１構築空間を横切る第１方向（例えば、第１水平方向）と、第２構築空間を横切る第１方向に実質的に平行な第３方向に（例えば、第３水平方向）（実質的とは、±１０°、例えば、±５°の偏差を意味し得る）にそれぞれ移動可能である。それぞれの構築空間は、例えば、関連する構築プラットフォームの上に配置されてもよく、および／または、場合によって関連する構築ボックス（上記参照）とともに、そのようなプラットフォームによって（共）形成／定義されてもよく、それぞれのコーティング装置は、例えば、容器コーティング装置（上記参照）、例えばスロットコーティング装置によって形成されてもよい。例えば、第１と第２コーティング装置は、別々におよび／または互いに独立して動作可能であってもよい。
３Ｄプリンタは、さらに、第１構築空間および第２構築空間を横切って、第１及び第３方向に対してある角度（例えば、それぞれ実質的に９０°の角度）で配置された第２方向（例えば、第２水平方向）に移動可能であり、第１構築空間の先に塗布された構築材料層の部分領域および第２構築空間の先に塗布された構築材料層の部分領域に流動性の処理剤を制御された方法で出力するための共通の（すなわち、２つの構築空間によって共有される、または両方の構築空間に提供する）印刷装置を備えている。３Ｄプリンタはさらに、第１構築空間を横切る第１方向における第１コーティング装置の移動と、第２構築空間を横切る第３方向における第２コーティング装置の移動が、第１構築空間を横切る第２方向における印刷装置の移動と、第２構築空間を横切る第２方向における印刷装置の移動のうちの少なくとも１つと時間的に重なるように、および／または、第１コーティング装置による第１構築空間への構築材料の供給と、第２コーティング装置による第２構築空間への構築材料の供給が、第１構築空間および第２構築空間の少なくとも一方の構築材料層への流動性の処理剤の制御された出力が時間的に重なっているように、第１コーティング装置、第２コーティング装置、および共通の印刷装置を制御するように構成された制御装置を構成する。例えば、制御装置は、第１構築空間および／または第２構築空間を横切って第１コーティング装置および第２コーティング装置を実質的に横並び／並列／同時に移動させるように構成されてもよい（実質的にとは、例えば、９０％以上、例えば、９５％以上の時間の重なりがあることを意味してもよい）。
【００３６】
換言すれば、本発明のこの態様によれば、部分的に／同時に一時的に／平行に第１構築空間でコーティングし、第２構築空間でコーティングし、第１および第２構築空間の一方で印刷することが可能である。これは、共通の印刷装置により行われる印刷動作と、２つのコーティング動作とが並行して行われることを意味する。この目的のために、第１の態様の記述と同様に、印刷装置は２つのコーティング装置の後方で動作してもよく、または２つのコーティング装置は印刷装置の後方で動作してもよい。例えば、共通の印刷装置は、第１方向に見て交互に配置され、後から順に処理される複数のプリントセクションにおいて、第１構築空間と第２構築空間とを選択的に印刷するように構成されていてもよく、それぞれのプリントセクションは、印刷装置によって第２方向に沿って移動され、第１と第２構築空間の両方を横切って延びている。
【００３７】
したがって、上述した重なりの原理は、２つ（またはそれ以上；構築空間の数は必要に応じて拡張可能であると理解すべきである）の隣接する構築空間に適用することができ、部品の節約またはコスト削減を達成するために、（すべての構築空間に提供する）共通の印刷装置および２つのコーティング装置（および／または構築空間ごとに１つのコーティング装置）により実現することができる。
【００３８】
例えば、制御装置は、この実施形態にもよれば、２０％以上、例えば２５％以上、例えば３０％以上、例えば３５％以上、例えば４０％以上、例えば４５％以上、例えば５０％以上、例えば５５％以上、例えば６０％以上の重なりの程度があるように、第１コーティング装置、第２コーティング装置、および共通の印刷装置を制御してもよい。
重なりの程度は例えば、下記のように計算することができる:
ｔＢ，Ｄ／ｔＢ＊１００、ここで、ｔＢは、２つ／全ての構築空間においてコーティングに要する時間（すなわち、第１コーティング装置および第２コーティング装置が層をコーティングするためにそれぞれの構築空間を横切って移動する間の時間）であり、ｔＢ，Ｄは、印刷およびコーティングの両方が行われる時間、および／または、時間的に重なるよう、（例えば、構築空間を横切る印刷装置の単一の移動の間の可能な旋回セクションを含む）コーティング装置および印刷装置が構築空間を横切って移動する間の時間である。例えば、印刷装置がコーティング装置の後方で動作する場合には、重なり度合いは、例えば、印刷の開始（印刷装置が第２方向に構築空間を横切って移動するためにそこに到達した時）からの残りのコーティング時間を総コーティング時間（第１及び第２構築空間に完全な層が塗布されるまで）で割った商から計算することができる。例えば、コーティング装置が印刷装置の後方で動作する場合には、重なりの度合いは、例えば、コーティング開始（第１コーティング装置と第２コーティング装置が第１方向にそれぞれの構築空間横切って移動するためにそこに到達した時点）からの残りの印刷時間を総コーティング時間で割った商から計算することができる。同様に、重なりの程度は、第３コーティング装置を備えた第３構築空間、第４コーティング装置を備えた第４構築空間、第５コーティング装置を備えた第５構築空間などの場合も計算できる。
【００３９】
本出願のこの態様によれば、３Ｄプリンタの性能および出力は、適切な部品の品質を維持しながら、妥当なコストでさらに向上させることができる。
【００４０】
一般に、第１の態様について記載されていることは、マルチコンストラクションスペース３Ｄプリンタにも当てはまる。
【００４１】
この点において、３Ｄプリンタ（マルチコンストラクションスペース３Ｄプリンタ）の一実施形態によれば、
印刷装置は第１方向に変位可能なプリントヘッドを備えてもよく、制御装置が、例えばプリントヘッドが、例えばＵ字形経路またはＳ字形経路に沿って、完全に蛇行するパターンで第１および第２構築空間を横切って移動するように、第１構築空間の構築材料層と第２構築空間の構築材料層を選択的に印刷するために、第１と第２構築空間を横切って、（オフセット/変位した方法で）第２方向に複数回（交互に）プリントヘッドを移動させるよう構成されており、（印刷装置は、例えば、第１態様に記載されたように構成されていてもよく、プリントヘッドキャリアは、第１および第２構築空間を横切って、第２方向にリニアガイドに沿って移動可能であってもよい）、および／または
第１方向に沿って第１構築空間を横切る第１コーティング装置によって移動される距離は、第２方向に沿って第１構築空間を横切る印刷装置によって移動される(単一の)距離以上であってもよく、例えば、少なくとも１．２の係数まで大きくてもよく、および／または第１方向における第１構築空間の寸法は、第２方向における第１構築空間の寸法以上であってもよく(第１態様について詳細に記載されているように、この配置は、最終的には、部品の品質、コスト、複雑さ、および製造プロセス全体の持続時間に関して有利であり）、および／または
第３方向に沿って第２構築空間を横切る第２コーティング装置によって移動される距離は、第２方向に沿って第２構築空間を横切る印刷装置によって移動される(単一の)距離以上であってもよく、例えば、少なくとも１．２の係数まで大きくてもよく、および／または第３方向における第２構築空間の寸法は、第２方向における第２構築空間の寸法以上であってもよく(第１態様について詳細に記載されているように、この配置は最終的に部品の品質、コスト、複雑さ、および製造プロセス全体の持続時間に関して有利であり）、および／または
第１コーティング装置および第２コーティング装置はそれぞれ双方向コーティング装置として構成されてもよく、および／または共通の印刷装置は双方向印刷装置として構成されてもよい。
【００４２】
代替的または追加的に、例えば、３Ｄプリンタ（マルチコンストラクションスペース３Ｄプリンタ）の一実施形態によれば 、
第１構築空間と第２構築空間は、実質的に同じ形状と大きさを有していてもよく、および／または
第１構築空間と第２構築空間は第２方向から見て交互に配置されていてもよく、および／または
第１構築空間および第２構築空間はそれぞれ、例えば、２つの長辺および２つの短辺を有する長方形に形成されてもよく、第１構築空間および第２構築空間は互いに隣接する２つの長辺を有するように配置され、および／または第１方向および第３方向は、それぞれ第１構築空間の長辺および第２構築空間の長辺に対して実質的に平行であり（実質的にとは、この点において、±１０°、例えば、±５°の偏差を意味し得る）、および／または
第１コーティング装置の出力領域は、第１方向に垂直な方向におよび／または第２方向に完全に第１構築空間に及んでいてもよく、および／または
第２コーティング装置の出力領域は、第３方向に垂直な方向におよび／または第２方向に完全に第２構築空間に及んでいてもよく、および／または
印刷装置のプリントヘッドの出力領域は、第２方向に垂直な方向および／または第１方向に延びていてもよく、および／または
プリントヘッドの出力領域は第１構築空間よりも短くてもよく、および／または第１コーティング装置によって移動される距離よりも短くてもよく、例えば、第２方向に垂直な方向および／または第１方向に、実質的に半分以下の大きさであってもよく（この態様にも同様に適用される第１様態に関する他の記載を参照のこと）、および／または
第２方向（Ｈ２）に沿って第１構築空間を横切って印刷装置が移動する単一の距離は、１．０ｍ〜１．４ｍ、例えば１．２ｍであってもよく、および／または第２方向に沿って第２構築空間を横切って印刷装置が移動する単一の距離は、１．０ｍ〜１．４ｍ、例えば１．２ｍであってよく、および／または
制御装置は、第１コーティング装置、第２コーティング装置および共通の印刷装置、例えばプリントヘッドを、第１及び第３方向に見て、共通の、第１側から、第１および第２構築空間を横切って、第１及び第３方向に見て、反対側の、第２側に移動させ、それによって粒状物質および／または流動性の処理剤を分配するよう構成されていてもよく、その後、任意に、第１コーティング装置、第２コーティング装置および共通の印刷装置、例えばプリントヘッドを、第２側から第１側に戻って移動させ、それによって粒状物質および／または流動性の処理剤を再び分配するように構成されていてもよい。
【００４３】
共通のプリントヘッドは、例えば、第１コーティング装置と第２コーティング装置から距離を置いて垂直方向に配置されてもよく、また別の平面、例えば水平面内で移動可能であってもよい。
【００４４】
共通のプリントヘッドは、例えば、制御装置によって、それぞれコーティング装置よりも高速（例えば、最高速度および／または平均速度）で移動されてもよい。
【００４５】
例えば、一実施形態によれば、３Ｄプリンタ（マルチコンストラクションスペース３Ｄプリンタ）は、第２構築空間に隣接して配置された第３構築空間と、第３構築空間に固化される構築材料の均一な構築材料層の形態で構築材料を提供するため、第３構築に割り当てられ、第１方向に実質的に平行な第４方向に沿って第３構築空間を横切って移動可能な第３コーティング装置をさらに含む。例えば、３Ｄプリンタは第３構築空間において１つ以上の３次元部品を層状に構築するように構成されていてもよい。
共通の印刷装置は、例えば第３構築空間の先に塗布された構築材料層の部分領域に流動性の処理剤を制御された方法で出力するために、第３構築空間を横切って第２方向に移動可能であってもよい。第３コーティング装置の出力領域は、例えば第４方向に直交する方向に第３構築空間に完全に及んでいてもよい。第４方向に沿って第３構築空間を横切る第３コーティング装置によって移動される距離は、例えば第２方向に沿って第３構築空間を横切る印刷装置によって移動される（単一の）距離以上であってもよく、例えば、少なくとも１．２の係数まで大きくてもよく、および／または第４方向に沿って第３構築空間の寸法は、例えば第２方向に沿って第３構築空間の寸法以上であってもよい（第１態様について詳細に記載されているように、この配置は最終的には部品の品質、コスト、複雑さ、および製造プロセス全体の持続時間に関して有利である）。制御装置は、例えば、関連する構築空間を横切るコーティング装置のそれぞれの移動が構築空間の少なくとも１つを横切る第２方向への共通の印刷装置の移動と時間的に重なるように、および／または関連するコーティング装置によるそれぞれの構築空間への構築材料の供給が少なくとも１つの構築空間の先に塗布された構築材料層への流動性の処理剤の制御された分配と時間的に重なるように、第１コーティング装置、第２コーティング装置、第３コーティング装置、および共通の印刷装置を制御するように構成されていてもよい。
【００４６】
このような３つの構築空間と３つのコーティング装置を有する３Ｄプリンタ（マルチコンストラクションスペース３Ｄプリンタ）については、１つの構築空間と１つのコーティング装置を有する３Ｄプリンタ、または２つの構築空間と２つのコーティング装置を有する３Ｄプリンタについての上記の情報が同様に適用される。
【００４７】
第３構築空間は、例えば、第１および／または第２構築空間と同様に構成されていてもよい。第３コーティング装置は、例えば、第１および／または第２コーティング装置と同様に構成されていてもよい。第３コーティング装置は、例えば、双方向コーティング装置として構成されていてもよい。共通の印刷装置は、例えば、双方向印刷装置として構成されていてもよい。例えば、第１構築空間、第２構築空間および第３構築空間は実質的に同じ形状および大きさを有していてもよい。第１構築空間、第２構築空間および第３構築空間は、例えば、第２方向に見たとき、交互に配置されていてもよい。第１構築空間、第２構築空間および第３構築空間はそれぞれ、例えば、２つの長辺および２つの短辺を有する長方形に形成されてもよく、第１および第２構築空間は互いに隣接する２つの長辺を有するように配置され、および第２および第３構築空間は互いに隣接する２つの長辺を有するように配置され、および／または、例えば、第１方向、第３方向および第４方向は第１構築空間の長辺および／または第２構築空間の長辺および／または第３構築空間の長辺に対して実質的に平行である（実質的にとは、この点において、例えば、±１０°、例えば、±５°の偏差を意味し得る）。制御装置は、第１コーティング装置、第２コーティング装置、第３コーティング装置および共通の印刷装置、例えばプリントヘッドを、第１、第３、及び第４方向に見て、共通の、第１側から、第１、第２および第３構築空間を横切って、第１、第３及び第４方向に見て、反対側の、第２側に移動させ、それによって粒状物質および／または流動性の流処理剤を分配するよう構成されていてもよく、その後、任意に、第１コーティング装置、第２コーティング装置および共通の印刷装置、例えばプリントヘッドを、第２側から第１側に戻って移動させ、それによって粒状物質および／または流動性の処理剤を再びそれぞれ出力するように構成されていてもよい。
【００４８】
印刷装置は、例えば、第１方向に変位可能なプリントヘッドを構成してもよく、例えば、プリントヘッドが、第１、第２および第３構築空間を横切って、例えば、Ｕ字形経路またはＳ字形経路に沿って、一般的に蛇行するパターンで移動するように、第１構築空間の構築材料層、第２構築空間の構築材料層、および第３構築空間の構築材料層を選択的に印刷するために、制御装置は、第１、第２、および第３構築空間を横切って（連続的に）第２方向に複数回／反復的に（変位した／オフセットした方法で）プリントヘッドを移動させるように構成されてもよい（印刷装置は、例えば、第１態様に記載されたように、プリントヘッドキャリアが、第１、第２および第３構築空間を横切って、第２方向のリニアガイドに沿って移動可能であるように構成されていてもよい）。
【００４９】
共通のプリントヘッドは、例えば、第１コーティング装置、第２コーティング装置及び第３コーティング装置から離れた垂直方向に配置されていてもよく、別の平面、例えば水平面内で移動可能であってもよい。例えば、共通のプリントヘッドは、制御装置によって、それぞれのコーティング装置よりも高速（例えば、最高速度および／または平均速度）で移動可能であってもよい。
【００５０】
言うまでもなく、３Ｄプリンタ（マルチコンストラクションスペース３Ｄプリンタ）は、例えば、第４構築空間と第４コーティング装置、またはｎ個の構築空間とｎ個のコーティング装置により補足／拡張されてもよく、ｎは自然数である。
このような４つ以上の構築空間と４つ以上のコーティング装置を有するマルチコンストラクションスペース３Ｄプリンタについては、１個、２個および／または３個の構築空間とコーティング装置を有する３Ｄプリンタについての上記の情報が同様に適用される。
【００５１】
例えば、コーティング装置（例えば、第１コーティング装置および／または第２コーティング装置および／または第３コーティング装置）と共通の印刷装置または共通のプリントヘッドは互いに機械的に分離されてもよく、および／または別々に移動可能であってもよい。例えば、コーティング装置（例えば、第１コーティング装置および／または第２コーティング装置および／または第３コーティング装置）はそれぞれの方向（例えば、第１方向および／または第３方向および／または第４方向）に移動可能であってもよく、その間印刷装置および／またはプリントヘッドが第２方向に同時に移動可能である。
【００５２】
コーティング装置（例えば、第１コーティング装置および／または第２コーティング装置および／または第３コーティング装置）は、例えば、１つ以上のコーティング装置が取り付けられた１つ以上のキャリッジによってコーティング装置のリニアガイド構造に沿って移動可能であってもよい。
【００５３】
コーティング装置（例えば、第１コーティング装置および／または第２コーティング装置および／または第３コーティング装置）は、例えば、それぞれ割り当てられた構築空間を横切って同時に（例えば、平行に、例えば、並んで）および／または一緒に移動可能であってもよい。コーティング装置（例えば、第１コーティング装置および／または第２コーティング装置および／または第３コーティング装置）は、例えば、それぞれ割り当てられた構築空間を横切って同じ速度で移動可能であってもよい。それぞれ割り当てられた構築空間を横切るコーティング装置（例えば、第１コーティング装置および／または第２コーティング装置および／または第３コーティング装置）の移動は、例えば、同時に開始および／または終了してもよい。
【００５４】
例えば、コーティング装置（例えば、第１コーティング装置および／または第２コーティング装置および／または第３コーティング装置）は、機械的に結合および／または接続されていてもよい。
【００５５】
構築空間における１つ以上の３次元部品の層状の構築は、例えば、そのそれぞれの部分領域における複数の隣接する構築材料層の選択的な固化、例えば、結合剤の噴射、すなわち、（粒状の）構築材料の結合剤と共に（選択的に）付着させることによって、達成されてもよい。
【００５６】
本発明のさらなる第３態様によれば、３Ｄプリンタ（例えば、第１態様による３Ｄプリンタ）の構築空間内で、少なくとも１つの３次元部品、例えば鋳造型または鋳造中子を製造するための生成的製造プロセスが提供される。そのプロセスは以下からなる：それぞれの層を塗布するため構築空間を横切って第１方向に移動されるコーティング装置を用いて、重なり合う粒状の構築材料の層、例えば砂粒子を含む層を形成し、選択的な固化に寄与する、先に塗布された構築材料層の部分領域に流動性の処理剤を制御された方法で出力するために、構築空間を横切る第２方向に移動される印刷装置を用いて１つ以上の隣接する構築材料層をそれぞれの部分領域に選択的に印刷する。このプロセスでは、コーティング装置と印刷装置が時間的に重なるように構築空間を横切って移動させ、および／またはコーティング装置と印刷装置が時間的に重なるように構築材料と流動性の処理剤をそれぞれ構築空間に供給する。
【００５７】
換言すれば、印刷とコーティングを一時的に同時に行われ、すなわち印刷プロセス（層の選択的な印刷）とコーティングプロセス（層のコーティング）はプロセス内で部分的に並行して行われる。例えば、第１方向にまだ完全に塗布されていない層は、印刷装置を用いて印刷されることができ、すなわち印刷プロセスはコーティングプロセスが完了する前に開始することができ、または代替的に、先に塗布された層が完全に印刷される前に（次の）コーティングプロセスを開始することができる。それぞれの層の選択的な印刷は上述されているように第１方向に見て交互に配置され、交互に処理されるプリントセクションを形成されることにより実施されることができ、それぞれのプリントセクションについて、印刷装置は構築空間を横切って第２方向に沿って移動される。
【００５８】
実施形態によれば、生成的製造プロセスにおいて:
印刷装置は、第１方向に変位可能なプリントヘッドを構成してもよく、例えば、プリントヘッドが、Ｕ字形経路またはＳ字形経路に沿って、一般的に蛇行するパターンで構築空間を横切って移動するように、構築材料層を選択的に印刷するために、構築空間を横切って第２方向に複数回（変位した方法で）プリントヘッドを移動させるように構成されてもよく、および／または
コーティング装置が第１方向に沿って構築空間を横切って移動する距離は、第２方向に沿って構築空間を横切って一旦移動する際に印刷装置によって移動される距離以上であり得る（例えば、層のコーティングおよび／または形成は、プリントセクションの印刷が第２方向に沿って行われる距離以上の距離に沿って行われてもよい。）および／または
双方向コーティング装置がコーティング装置として使用されてもよく、および／または粒状構造材料が第１方向に移動の間および第１方向へ戻る移動の間コーティング装置により分配されてもよく、および／または双方向印刷装置が印刷装置として使用されてもよく、および／または流動性の処理剤が第２方向に移動の間および第２方向へ戻る移動の間に印刷装置により分配されてもよく、および／または
コーティング装置およびプリントヘッドは、第１方向に見て、共通の、第１側から出発して、構築空間を横切って、第１方向に見て、反対側の、第２側に移動されるように構成されてもよく、それにより粒状材料および流動性の処理剤をそれぞれ分配するよう構成されてもよく、その後、任意に、コーティング装置およびプリントヘッドを、第２側から第１側に戻って移動させ、それにより粒状物質および／または流動性の処理剤を再びそれぞれ分配するように構成されていてもよい。
【００５９】
代替的または追加的に、生成的製造プロセスの一実施形態によれば、
コーティング装置の出力領域は、第１方向に垂直な方向におよび／または第２方向に完全に構築空間に及んでいてもよく、および／または
印刷装置のプリントヘッドの出力領域は、第２方向に直交する方向および／または第１方向に延びていてもよく、および／または
プリントヘッドの出力領域は、第２方向に垂直な方向および／または第１方向において、構築空間よりも短く、および／またはコーティング装置によって移動される距離よりも短く、例えば、実質的に半分の大きさまたはそれよりも小さくてもよく、および／または
第１方向と第２方向は交差してもよく、それにより角度、例えば実質的に９０°の角度を形成することができ、および／または
構築空間は、平面視において、例えば２つの長辺および２つの短辺を有する長方形に形成されてもよく、例えば第１方向が構築空間の長辺に対して実質的に平行であり、および／または
コーティング装置によって移動される距離は、第２方向に沿って構築空間を横切って印刷装置によって移動される単一距離よりも、例えば少なくとも１．２の係数まで大きくてもよく、および／または
第２方向に沿って構築空間を横切って印刷装置によって移動される単一距離は１．０ｍ〜１．４ｍ、たとえば１．２ｍであってよい。
【００６０】
本発明のさらなる第４態様によれば、３Ｄプリンタ（例えば、第２態様による３Ｄプリンタ）の第１構築空間内で、少なくとも１つの３次元部品、例えば鋳造型または鋳造中子、および第１構築空間に隣接して配置された３Ｄプリンタの第２構築空間内で、少なくとも１つの３次元部品、例えば鋳造型または鋳造中子を製造するための生成的製造プロセスが提供され、この方法は、以下からなる。
それぞれの層を塗布するため第１構築空間を横切って第１方向に移動される第１コーティング装置を用いて、第１構築空間内に、重なり合う粒状の構築材料の層、例えば砂粒子を含む層を形成し、
それぞれの層を塗布するために第１方向に実質的に平行な第３方向に第２構築空間を横切って移動される第２コーティング装置を用いて、第２構築空間内に、重なり合う粒状の構築材料の層、例えば砂粒子を含む層を形成し、そして
第１構築空間内の先に塗布された構築材料層の部分領域と、第２構築空間内の先に塗布された構築材料層の部分領域に、それぞれの構築材料層の選択的な固化に寄与する、流動性の処理剤を制御された方法で出力するため、第１及び第３方向に対して角度をつけて配置された第２方向に第１構築空間及び第２構築空間を横切って移動した共通の印刷装置を用いて、第１構築空間内のそれぞれの部分領域に複数の隣接する構築材料層を選択的に印刷し、第２構築空間内のそれぞれの部分領域に複数の隣接する構築材料層を選択的に印刷する。
この点について、このプロセスにおいて、第１構築空間を横切る第１方向の第１コーティング装置の移動と、第２構築空間を横切る第３方向の第２コーティング装置の移動は、第１構築空間を横切る第２方向の共通の印刷装置の移動と第２構築空間を横切る第２方向の共通の印刷装置の移動の少なくとも一方と時間的に重なるように実施され、および／または、第１コーティング装置による第１構築空間への構築材料の供給と、第２コーティング装置による第２構築空間への構築材料の供給は、第１構築空間および第２構築空間の少なくとも一方の先に塗布された構築材料層への流動性の処理剤の制御された分配と時間的に重なるよう実施される。
【００６１】
換言すれば、本発明のこの態様によれば、第１構築空間でのコーティング、第２構築空間でのコーティング、第１および第２構築空間の一方での印刷を一時的に同時に行うことができる。すなわち、共通の印刷装置で行われる印刷プロセスと、２つのコーティングプロセスは並行して行われる。
【００６２】
生成的製造プロセスの実施例によれば、
共通の印刷装置は、第１方向に変位可能な共通のプリントヘッドを構成してもよく、例えば、プリントヘッドが、Ｕ字形経路またはＳ字形経路に沿って、一般的に蛇行するパターンで第１及び第２構築空間を横切って移動するように、第１構築空間の構築材料層と第２構築空間の構築材料層を選択的に印刷するために、第１及び第２構築空間を横切って第２方向に複数回共通のプリントヘッドを移動させるように構成されてもよく、および／または
第１方向に沿って第１構築空間を横切る第１コーティング装置によって移動される距離は、第２方向に沿って第１構築空間を横切る印刷装置によって移動される(単一の)距離以上であってもよく、例えば少なくとも１．２の係数まで大きくてもよく、および／または
第３方向に沿って第２構築空間を横切る第２コーティング装置によって移動される距離は、第２方向に沿って第２構築空間を横切る印刷装置によって移動される(単一の)距離以上であってもよく、例えば少なくとも１．２の係数まで大きくてもよく、および／または
第１コーティング装置および第２コーティング装置は、それぞれ双方向コーティング装置として動作してもよく、および／または印刷装置は、双方向印刷装置として動作してもよく、および／または
第１構築空間と第２構築空間は実質的に同じ形状と大きさを有していてもよくおよび／または
第１構築空間と第２構築空間は、第２方向に見て交互に配置されていてもよく、および／または
第１構築空間および第２構築空間は、それぞれ例えば、２つの長辺および２つの短辺を有する長方形に形成されてもよく、第１構築空間および第２構築空間は互いに隣接する２つの長辺を有するように配置され、および／または第１方向および第３方向はそれぞれ第１および第２構築空間の長辺に対して実質的に平行であり、および／または
第１コーティング装置の出力領域は、第１方向に垂直な方向におよび／または第２方向に完全に第１構築空間に及んでいてもよく、および／または 
第２コーティング装置の出力領域は、第３方向に垂直な方向におよび／または第２方向に完全に第２構築空間に及んでいてもよく、および／または 
印刷装置のプリントヘッドの出力領域は、第２方向に垂直な方向におよび／または第１方向に延びていてもよく、および／または
プリントヘッドの出力領域は、第２方向に垂直な方向および／または第１方向において第１構築空間よりも短く、および／または第１コーティング装置によって移動される距離よりも短く、例えば、実質的に半分の大きさまたはそれよりも小さくてもよく、および／または
第２方向に沿って第１構築空間を横切って印刷装置により移動される単一の距離は１．０ｍから１．４ｍ、例えば１．２ｍであってもよく、および／または
第２方向に沿って第２構築空間を横切って印刷装置により移動される単一の距離は１．０ｍから１．４ｍ、例えば１．２ｍであってよく、および／または
第１コーティング装置、第２コーティング装置および印刷装置は、第１及び第３方向に見て、共通の、第１側から、第１および第２構築空間を横切って、第１及び第３方向に見て、反対側の、第２側に移動されていてもよく、それによって粒状物質および流動性の処理剤をそれぞれ分配し、その後任意に、第１コーティング装置、第２コーティング装置および印刷装置は、第２側から第１側に戻って、それによって粒状物質および／または流動性の処理剤をそれぞれ再び分配するように移動されてもよい。
【００６３】
本発明の追加の特徴および利点は本明細書に組み込まれる添付図面、ならびに以下の詳細な説明によって例示または詳細に説明され、それらは本発明の特定の原理を説明するのに役立つ。
【００６４】
以下、本発明を各種の実施形態により、図を参照してさらに詳細に説明する。
【図面の簡単な説明】
【００６５】
【図１】本発明の第１の実施形態による３Ｄプリンタの概略図である。
【００６６】
【図２】第１の実施形態による３Ｄプリンタの別の概略図である。
【００６７】
【図３】本発明の第２の実施形態による３Ｄプリンタの概略図である。
【００６８】
【図４】および
【図５】本発明の第３の実施形態による３Ｄプリンタの概略図である。
【発明を実施するための形態】
【００６９】
以下の詳細な説明では、本明細書に組み込まれ、本発明を実施することができる特定の実施形態が例示として示されている添付の図を参照する。この点で、「上」、「下」、「前」、「後」などの方向を指す用語は、説明されている図の方向に関して使用される。実施形態の構成部品は多くの異なる向きに配置され得るため、異なる方向を示す用語は例示として機能し、決して限定的ではない。本発明の保護範囲から逸脱することなく、他の実施形態を使用することができ、構造的または論理的な変更を行うことができることを理解されたい。本明細書で説明される様々な例示的な実施形態の特徴は、別段の定めがない限り、組み合わせられてもよいことは言うまでもない。したがって、以下の詳細な説明は、制限的な意味で理解されるべきではなく、本発明の保護範囲は、添付の特許請求の範囲によって定義されるものとする。
【００７０】
この説明では、「接続」、「取付」、「結合」などの用語を使用して、直接および間接的接続の両方、直接または間接的取付、ならびに直接または間接的結合が説明され得る。
【００７１】
図において、同一または類似の部材には、必要に応じて同一の参照番号が付されている。
【００７２】
図１および図２はそれぞれ本発明の第１の実施形態による３Ｄプリンタ１の概略図である。
【００７３】
図１に示すように、３Ｄプリンタ１は第１の実施形態によれば、図示しない構築プラットフォームの上に配置された、例えば高さ調節可能となるよう形成された、構築空間Ｂ１を備える。この点において、構築空間Ｂ１は周囲が自由／制限されていなくてもよく（この場合、構築プラットフォームに塗布された層および／またはそれらの縁部領域は、周囲の構築空間を規定してもよく）または、いわゆる構築ボックス、例えば固定式または可動式の構築ボックスによって形成されてもよい垂直壁構造によって制限されていてもよい。
平面図では、構築空間Ｂ１はここでは例として２つの長辺と２つの短辺を有する長方形に形成されている。
【００７４】
３Ｄプリンタ１は、たとえば、砂粒子を含む粒状の構築材料の構築材料層を互いに重なり合って形成し、そのそれぞれの部分領域で隣接するいくつかの構築材料層を選択的に固化することにより、構築空間Ｂ１に、例えば鋳造金型または鋳造中子などの少なくとも一つの３次元部品を層状に構築するように構成される。
【００７５】
この目的のために、３Ｄプリンタ１は、全面に固化される構築材料の均一な構築材料層の形態で構築材料を構築空間に供給するために構築空間Ｂ１を横切って第１方向Ｈ１に移動可能なコーティング装置３と、先に塗布された構築材料層の部分領域に流動性の処理剤を制御された方法で出力するために、構築空間Ｂ１を横切って第２方向Ｈ２に移動可能な印刷装置５とから構成され、この処理剤はその選択的な凝固に寄与する。第１方向および第２方向は、ここでは例として、９０°の角度で交差する。
【００７６】
例として、ここでは、コーティング装置３は、容器コーティング装置の形態で、および／または双方向コーティング装置として構成されており、第１方向（図１）への移動中だけでなく、第１方向（図２）への戻りの移動中の両方とも、固化される構築材料の構築材料層を均等に塗布することができる。容器コーティング装置３は、コーティング装置の出力領域が第２方向に構築空間に完全に及んでいる／わたるように、構築空間Ｂ１の全体に横切って第２方向Ｈ２に延びる開口部および／またはスロット（図示しない）から構成されている。さらに、コーティング装置３は、構築空間Ｂ１を横切って第１方向Ｈ１にリニアガイド（図示しない）に沿って移動可能である。適切なコーティング装置は、例えば、独国特許出願公開第１０２０１４１１２４６９号明細書または国際公開第２０１６／０３０３７５号明細書に記載されており、その内容は参照により本明細書に組み込まれる。
【００７７】
一例として、ここでは、印刷装置５は、第２方向への移動（図１の最も下部の、横向きの矢印）と、第２方向への戻りの移動（図１の中央、横向きの矢印）の両方の間に、構築材料層またはそのプリントセクションを選択的に印刷することができる双方向印刷装置として構成されている。印刷装置５のさらなる詳細は以下に記載する。
【００７８】
第２方向の構築空間Ｂ１の延長部はＳ２と記載されており、ここでは長方形の短辺側に対応し、第１方向の構築空間Ｂ１の延長部はＳ１と記載されており、ここでは長方形の長辺側に対応する。このように、本実施形態によれば、長辺に沿ってコーティングが行われ、短辺に沿って印刷が行われる。すなわち、第１方向Ｈ１に沿って構築空間Ｂ１を横切ってコーティング装置３が移動する距離Ｓ１は、第２方向Ｈ２に沿って構築空間Ｂ１を一旦横切って移動する際に印刷装置５が移動する距離Ｓ２よりも大きい。
【００７９】
３Ｄプリンタ１は、コーティング装置３および印刷装置５と接続および／または通信し、コーティング装置３および印刷装置５を、時間的に重なり合うように構築空間Ｂ１を横切って移動するように、および／または重なり合う方法で構築空間Ｂ１に構築材料を供給するか、または先に塗布された構築材料層に制御された方法で流動性の処理剤を分配するように制御するよう構成された制御装置Ｃをも備えている。ここで、例えば、重なりの程度は、３０％以上、例えば４０％以上、例えば５０％以上の値に設定することができる。
【００８０】
このために、印刷される層は、第１方向に見たときに交互に配置された複数のプリントセクション（ここでは３つ）に分割され、（第２方向にそれぞれ）印刷装置５により交互に処理されるため、印刷装置５は、第２方向Ｈ２に構築空間を全体として複数回横切って移動する。
【００８１】
この例示的な実施形態によれば、印刷装置５は、例えばキャリア構造体９に沿って、第１方向Ｈ１に変位可能なプリントヘッド７を備え、それ自体は、構築フィールドＢ１を横切って第２方向Ｈ２に（図示しない）リニアガイドに沿って変位可能である。この点において、制御装置Ｃは、ここでは（ミラー反転された）Ｓ字形の経路および／または第２方向に３つの平行な個別の経路を有する経路に沿って、プリントヘッド７が構築空間Ｂ１を横切って全体的に蛇行するパターンで移動するような方法で、構築材料層の選択的印刷のため構築空間Ｂ１を横切って第２方向Ｈ２に、プリントヘッド７を変位／オフセットさせた状態で複数回移動させるように構成されている。ここで、プリントヘッド７および／またはその出力領域は、第１方向Ｈ１に長く延びるが、第１方向における構築空間Ｂ１の延長部Ｓ１よりも短く形成されており、例えば、延長部Ｓ１の３０％〜４０％の長さを有していてもよい。
【００８２】
以下、本実施形態の３Ｄプリンタ１の操作原理について、図１及び図２の全体図を用いて説明する。
【００８３】
まず、図１に示されるように、コーティング装置３は、構築空間Ｂ１に、固化される構築材料の均等な構築材料層の形態で構築材料を供給するために、図１に示される位置（「下」）を起点として、構築空間Ｂ１を横切って第１方向Ｈ１に移動する。コーティング装置が構築空間Ｂ１を横切って完全に通過する前、およびコーティング装置３が図２に示す位置（「上」）に到達する前に、例えばコーティング装置３が構築空間Ｂ１の第１方向の中心に実質的に到達したとき、コーティング装置３によって塗布された構築材料層の第１の／下のプリントセクションに流動性の処理剤を制御された方法で分配するために、プリントヘッド７は、図１に示す位置（「右下」）を起点として、構築空間Ｂ１を横切って第２方向Ｈ２（図１の下、横向きの矢印Ｈ２）に移動し、そしてこれは層および／またはプリントセクションの選択的な固化に寄与する。この点において、プリントヘッド７の移動は、リニアガイド（図示しない）に沿ってキャリア構造体９を移動させることによって行われる。これに関連して、プリントヘッド７の移動は、基本的に、コーティング装置３が第１プリントセクションを通過した時点で開始することができる。プリントヘッド７は、キャリア９に対して中心に位置するように第１方向Ｈ１に変位させた後、構築材料層の第２／中間プリントセクションに流動性の処理剤を制御された方法で分配するため、プリントヘッド７は再びキャリア９によって構築空間Ｂ１を横切って第２方向Ｈ２に移動する（図１中部、横向きの矢印Ｈ２）。そして、プリントヘッド７をキャリア９に対して上面に位置するように第１方向に再び変位させた後、構築材料層の第３／上側プリントセクションに流動性の処理剤を制御された方法で分配するため、プリントヘッド７は再び構築空間Ｂ１を横切って第２方向Ｈ２に移動する（図１上部、横向きの矢印Ｈ２）。記載されたプリントヘッド７の移動および変位の間、コーティング装置３は、層の塗布を完了するため第１方向に移動し続ける。したがって、プリントヘッドはコーティング装置３の「後方」で動作し、制御装置Ｃはコーティング装置３および印刷装置５およびプリントヘッド７をそれぞれ、構築空間を横切って共通の、第１／下側、第１方向に見て（図１参照）、反対側の、第２／上側、第１方向に見て（図２参照）、に移動させるように構成されてもよく、それにより、粒状材料および流動性の処理剤をそれぞれ分配することができる。
【００８４】
コーティング装置３によって塗布された層が印刷装置によって完全に移動した後、および／または選択的に印刷された後、次の層の塗布および選択的印刷を行うことができる。この目的のため、コーティング装置３は、図２に示す位置（「上」）を起点として、構築空間Ｂ１に固化する構築材料の均一な構築材料層の形態で構築材料を供給するため、構築空間Ｂ１を横切って（上から下へ）第１方向Ｈ１に移動することができる。コーティング装置が構築空間Ｂ１を横切って完全に移動する前、およびコーティング装置３が図１に示す位置に到達する前に、コーティング装置３によって塗布された構築材料層の第１の／上のプリントセクションに流動性の処理剤を制御された方法で分配するために、プリントヘッド７は、図２に示す位置（「左上」）を起点として、構築空間Ｂ１を横切って第２方向Ｈ２（図２の上、横向きの矢印Ｈ２）に移動する。次に、プリントヘッド７をキャリア９に対して中心に位置するように第１方向に再び変位させた後、構築材料層の第２／中間プリントセクションに流動性の処理剤を分配するため、プリントヘッド７は再び構築空間Ｂ１を横切って第２方向Ｈ２（図２の中間、横向きの矢印Ｈ２）に移動する。
そして、プリントヘッド７をキャリア９に対して下面に位置するように第１方向に再び変位させた後、構築材料層の第３／下側プリントセクションに流動性の処理剤を制御された方法で分配するため、プリントヘッド７は再び構築空間Ｂ１を横切って第２方向Ｈ２（図２の下、横向きの矢印Ｈ２）に移動する。プリントヘッド７を移動、変位させる間、コーティング装置３は、次の層の塗布を完了するため第１方向に移動し続ける。
したがって、プリントヘッド７は再びコーティング装置３の「後方」で動作し、制御装置Ｃはコーティング装置３および印刷装置５を第２側から第１側に戻すように構成され、それにより、 粒状物質と流動性の処理剤をそれぞれ分配する。図１および図２に示すシーケンスは、必要に応じて何度でも繰り返すことができる。
【００８５】
図３は、本発明の第２の実施形態による３Ｄプリンタ１０の概略図である。
【００８６】
以下では、第１の実施形態の３Ｄプリンタ１と同様または同一の特徴についての説明を一部省略し、追加または代替的な特徴の説明に重点を置く。
【００８７】
図３に示すように、３Ｄプリンタ１０は、さらに第２構築空間Ｂ２を備えており、ここでは、例として、第１構築空間Ｂ１と同様に構成され、同じ形状およびサイズを有している。この点について、２つの構築空間Ｂ１およびＢ２は、２つの長方形の長辺側が互いに隣接して配置されている。また、３Ｄプリンタ１０は、第２コーティング装置１３を備えており、ここでは例として、第１コーティング装置３（双方向容器コーティング装置）と同様に構成され、第２構築空間Ｂ２を横切って第３方向Ｈ３に沿って移動可能に構成されている。２つの方向Ｈ１およびＨ３は、ここでは、例として、互いに実質的に平行であるとともに、長方形の長辺側に平行であり、いずれの場合にも実質的に９０°の角度で第２方向Ｈ２と交差する。第１の実施形態とは対照的に、第２の実施形態による層の選択的印刷は、例えば、２つのプリントセクションとともに／２つのプリントセクション内で実行される。第２方向における第１構築空間Ｂ１の寸法Ｓ２１は、第２方向における第２構築空間Ｂ２の寸法Ｓ２２と実質的に等しく、第１方向における第１構築空間Ｂ１の寸法Ｓ１は、第３方向における第２構築空間Ｂ２の寸法Ｓ３と実質的に等しく、ここで、Ｓ２１はＳ１よりも小さく、Ｓ２２はＳ３よりも小さい。寸法Ｓ２１、Ｓ２２は、長方形の短辺に対応してもよく、寸法Ｓ１、Ｓ３は、長方形の長辺に対応してもよい。ここで、プリントヘッド７は、Ｕ字形の経路または第２方向に平行な２つの単一距離を有する経路に沿って移動され、プリントヘッド７および／またはその出力領域は、例えば、延長部Ｓ１および／またはＳ２の４５％-６０％の長さを有していてもよい。
【００８８】
また、３Ｄプリンタ１０は、第１構築空間Ｂ１と隣接する第２構築空間Ｂ２に１つ以上の３次元部品を層状に形作るように構成されており、そのために、第１構築空間Ｂ１に第１コーティング装置３が割り当てられ、第２構築空間Ｂ２に第２コーティング装置１３が割り当てられており、それぞれの構築空間に、固化される構築材料の均一な構築材料層の形態で構築材料を供給するため、それぞれ第１構築空間Ｂ１を横切る第１方向Ｈ１と第２構築空間Ｂ２を横切る第３方向Ｈ３にそれぞれ移動可能である。３Ｄプリンタはさらにここでは共通の印刷装置として機能する印刷装置５を含み、第１構築空間Ｂ１の先に塗布された構築材料層の部分領域および第２構築空間Ｂ２の先に塗布された構築材料層の部分領域に流動性の処理剤を制御された方法で分配するために、この印刷装置５は、２つの構築空間によって分割され、第１構築空間Ｂ１および第２構築空間Ｂ２を横切って第２方向Ｈ２に移動可能（繰り返し、オフセット的に）である。
【００８９】
ここで、制御装置Ｃはさらに第２コーティング装置１３に接続され、第１構築空間Ｂ１を横切る第１方向Ｈ１における第１コーティング装置３の移動と、第２構築空間Ｂ２を横切る第３方向Ｈ３における第２コーティング装置１３の移動が、第１構築空間Ｂ１を横切る第２方向Ｈ２における共通の印刷装置５の移動と第２構築空間Ｂ２を横切る第２方向Ｈ２における共通の印刷装置５の移動の少なくとも一方と時間的に重なるように、および／または、第１コーティング装置３による第１構築空間Ｂ１への構築材料の供給と第２コーティング装置１３による第２構築空間Ｂ２への構築材料の供給が、第１構築空間Ｂ１および第２構築空間Ｂ２の少なくとも一つの先に塗布された構築材料層への流動性の処理剤の制御された分配と時間的に重なるように、第１コーティング装置３、第２コーティング装置１３および共通の印刷装置５を制御するように構成されている。
【００９０】
３Ｄプリンタ１０の動作原理は、３Ｄプリンタ１のそれと同様であり、詳細は以下の通りである。
【００９１】
まず、第１コーティング装置３及び第２コーティング装置１３は、それぞれの構築空間に固化される構築材料の均等な構築材料層の形態で構築材料を供給するために、図３に示す位置（「下」）を起点として、それぞれ第１構築空間Ｂ１及び第２構築空間Ｂ２を横切って、それぞれ第１方向Ｈ１及び第３方向Ｈ３に移動する。この点において、２つのコーティング装置３，１３は、それぞれの構築フィールドを横切って実質的に同期して、または実質的に完全に平行に移動してもよい。２つのコーティング装置３，１３がそれぞれの構築空間を完全に横断する前であっても、例えば、コーティング装置３，１３が第１方向にそれぞれの構築空間の中心に実質的に到達したとき、コーティング装置３によって塗布された構築材料層の第１／下のプリントセクションにおよびコーティング装置１３によって塗布された構築材料層の第１／下のプリントセクションに、流動性の処理剤を制御された方法で分配するため、図３に示す位置（「右下」）を起点として、プリントヘッド７は、第２方向Ｈ２に、第２と第１構築空間を横切って（前述の順序で）連続して移動し（「下」に対して、図３の横向きの矢印Ｈ２）、この処理剤は、それぞれの層および／またはそれぞれのプリントセクションの選択的固化に寄与する。次に、プリントヘッド７をキャリア９に対して上側に位置するように第１方向Ｈ１に変位させ、各構築材料層の第２／上のプリントセクションに流動性の処理剤を制御された方法で分配するため、プリントヘッド７は再びキャリア９によって第１及び第２構築空間を横切って（この順序で）第２方向Ｈ２に移動する（上に対して、図３の横向きの矢印Ｈ２）。プリントヘッド７の記載された移動及び変位の間、第１および第２コーティング装置３，１３は、それぞれ第１及び第３方向にさらに移動して、それぞれの層の塗布を完了させる。したがって、プリントヘッドは、第１および第２コーティング装置３，１３の「後方」で動作し、制御装置Ｃは、第１コーティング装置３、第２コーティング装置１３、および共通の印刷装置５およびプリントヘッド７をそれぞれ、第１方向に見て（図３参照）、共通の第１／下側から、構築空間を横切って、第１方向に見て、反対側の、第２／上側に移動させるように構成されており、それにより、粒状材料および流動性の処理剤をそれぞれ分配する。
【００９２】
コーティング装置３、１３によって塗布された層が印刷装置５によって完全に横断および／または選択的に印刷された後、次の層の塗布および選択的印刷がそれぞれの構築空間で行われ得る。この目的のために、第１及び第２コーティング装置３は、それぞれの構築空間に、固化する構築材料の均一な構築材料層の形態で構築材料を供給するため、それぞれの構築空間を横切って、第１方向Ｈ１及び第３方向Ｈ３において、しかし今度は上から下に向かって、再び移動することができる。それぞれのコーティング装置がそれぞれの構築空間を完全に横断し、コーティング装置３，１３が図３に示す位置に到達する前であっても、第２方向Ｈ２の「右上」の位置を起点として、プリントヘッド７は、それぞれの構築材料層の第１／上のプリントセクションに流動性の処理剤を制御された方法で送達するため、２つの構築空間を横切って（図３の上、横向きの矢印Ｈ２に対して）移動させられる。次に、プリントヘッド７は、キャリア９に対して下側に位置するように第１方向に再び変位／オフセットされ、次いで、流動性の処理剤を制御された方法でそれぞれの構築材料層の第２／下のプリントセクションに分配するため、プリントヘッド７は、２つの構築空間を横切って（図３の下、横向きの矢印Ｈ２に対して）第２方向Ｈ２に再び移動する。  プリントヘッド７を移動、変位させる間、コーティング装置３，１３を第１方向にさらに下方に移動させて、次の層のそれぞれの塗布を完了させる。したがって、プリントヘッド７は再びコーティング装置３、１３の「後方」で再び動作し、制御装置Ｃは、第１コーティング装置３、第２コーティング装置１３、および印刷装置５を第２／上側から第１／下側に戻すように構成され、それにより、 粒状物質と流動性の処理剤をそれぞれ分配する。記載されたシーケンスは、この点で必要に応じて何度でも繰り返すことができる。
【００９３】
図４および図５はそれぞれ、本発明の第３の実施形態による３Ｄプリンタ１００の概略図を示す。
【００９４】
以下では、３Ｄプリンタ１０（または３Ｄプリンタ１）の特徴と類似または同一の特徴についての記述を一部省略し、追加または代替的な特徴の記述に重点を置く。
【００９５】
図４および図５に示すように、３Ｄプリンタ１００は、例として、第１構築空間Ｂ１および第２構築空間Ｂ２と同様に構成され、同じ形状および大きさを有する第３構築空間Ｂ３をさらに備える。合計で３つの構築空間Ｂ１、Ｂ２およびＢ３は、それらの長方形の長辺側が互いに隣接して配置される。さらに、３Ｄプリンタ１００は、例として、ここでは、第１及び第２コーティング装置３，１３（双方向容器コーティング装置）と同様に構成され、第３構築空間Ｂ３を横切って第４方向Ｈ４に沿って移動可能な第３コーティング装置２３を備える。方向Ｈ１、Ｈ３、Ｈ４は、例として、ここでは、互いに実質的に平行であるとともに、長方形の長辺に平行であり、いずれの場合にも、第２方向Ｈ２と実質的に９０°の角度で交差している。第２の実施形態と同様に、各層の選択的印刷は、例として、第３の実施形態による２つのプリントセクションとともに／２つのプリントセクション内で実行される。第２方向における構築空間の寸法は実質的に同じであり、第１、第３および／又は第４方向における構築空間の寸法も実質的に同じであり、第２方向におけるそれぞれの寸法は、第１、第３および／又は第４方向におけるそれぞれの寸法よりも小さい。
第２方向における寸法は、長方形の短辺に対応してもよく、第１、第３および／または第４方向の寸法は、長方形の長辺に対応してもよい。言うまでもなく、３Ｄプリンタは、図５の構築空間Ｂ３の右側及びその隣に（図示された構築空間と同じ向きで）配置され得る１つ以上の追加の構築空間によって補完されてもよく、これらの構築空間は、それぞれが、関連する別個のコーティング装置を有していてもよく、さらに、共通の印刷装置によっても機能することができる。
【００９６】
３Ｄプリンタ１００は、各構築空間Ｂ１、Ｂ２、およびＢ３のそれぞれに１つ以上の３次元部品を層状に形作るように構成されており、そのために、各構築空間に別個のコーティング装置が割り当てられている。３Ｄプリンタはまた、ここでは共通の印刷装置として機能する印刷装置５を備え、印刷装置５は、すべての構築空間Ｂ１、Ｂ２およびＢ３によって共有され、それぞれの構築空間の先に塗布された構築材料層の部分領域に流動性の処理剤を制御された方法で吐出するため、すべての構築空間Ｂ１、Ｂ２およびＢ３を横切って第２方向Ｈ２に（反復的に、変位した／オフセットした方法で）移動可能である。
【００９７】
制御装置Ｃは、ここではさらに第３コーティング装置２３に接続されており、関連する構築空間を横切るコーティング装置のそれぞれの移動が、構築空間の少なくとも１つを横切る第２方向Ｈ２における共通の印刷装置５の移動と時間的に重なるように、および／または、関連するコーティング装置によるそれぞれの構築空間への構築材料の供給が、構築空間の少なくとも１つの先に塗布された構築材料層への流動性の処理剤の制御された分配と時間的に重なるように、コーティング装置３、１３、２３および共通の印刷装置５を制御するように構成されている。
【００９８】
なお、３Ｄプリンタ１００の動作原理は、３Ｄプリンタ１０のものと同様であってもよい。この点において、図４および図５において、一方で印刷装置５が、他方でコーティング装置３、１３、２３が第１方向における異なる側に配置されており、それぞれの層の塗布および選択的印刷の前には、印刷装置５とコーティング装置３、１３、２３が第１方向において共通の側に配置されなければならないことに留意すべきである。あるいは、図４から始めて、コーティング装置を下方に移動させることにより、コーティング装置３，１３，２３によって、それぞれの構築空間に層を塗布することができる。そして、印刷装置５のプリントヘッド７が、図４に示す位置を起点として、２本の点線矢印Ｈ２と点線接続線で示されるように、構築空間を横切ってＵ字状に蛇行することにより、各構築空間において選択的に層を印刷することができる。この点において、印刷装置５の後方にあるコーティング装置３、１３、２３は、印刷装置５が十分に走行するとすぐに、例えば、印刷装置５が上側の、第２プリントセクションの選択的印刷を開始したとき／後、選択的印刷が完了する前に、既に新しい層の塗布を開始することができる。
【００９９】
本発明に従った３Ｄプリンタおよび本発明に従った生成的製造プロセスのさらなる実施形態を以下に記載する。
【０１００】
１．砂粒子を含む粒状の構築材料の構築材料層を互いに重なり合って形成し、そのそれぞれの部分領域で隣接する複数の構築材料層を選択的に固化することで、構築空間に、例えば鋳造金型または鋳造中子などの３次元部品を層状に構築するように構成され、固化される構築材料の均一な構築材料層の形態で構築材料を構築空間Ｂ１に供給するために構築空間Ｂ１を横切って第１方向Ｈ１に移動可能なコーティング装置３、および先に塗布された構築材料層の部分領域に流動性の処理剤を制御された方法で出力するため構築空間Ｂ１を横切って第２方向Ｈ２に移動可能であり、この処理剤はその選択的な凝固に寄与する、印刷装置５を備え、コーティング装置３および印刷装置５を、時間的に重なり合うように構築空間Ｂ１を横切って移動するように、および／または重なり合う方法で構築空間Ｂ１に構築材料を供給し、先に塗布された構築材料層の部分領域に制御された方法で流動性の処理剤をそれぞれ分配するように制御するように構成された制御装置Ｃを備えた３Ｄプリンタ。
【０１０１】
２.印刷装置５が第１方向に変位可能なプリントヘッド７を備え、制御装置Cが、例えばプリントヘッド７が例えばＵ字形経路またはＳ字形経路に沿って、完全に蛇行するパターンで構築空間Ｂ１を横切って移動するように、構築材料層を選択的に印刷するために、構築空間Ｂ１を横切って第２方向Ｈ２に複数回プリントヘッド７を移動させるように構成されている上記１に記載の３Ｄプリンタ。
【０１０２】
３.コーティング装置３が第１方向Ｈ１に沿って構築空間Ｂ１を横切って移動する距離Ｓ１が、第２方向Ｈ２に沿って構築空間Ｂ１を横切って一旦移動する際に印刷装置５によって移動する距離Ｓ２以上である上記１または２に記載の３Ｄプリンタ。
【０１０３】
４.コーティング装置３が双方向コーティング装置として構成されている、および／または印刷装置５が双方向印刷装置として構成されている上記１から３のいずれか１項に記載の３Ｄプリンタ。
【０１０４】
５.コーティング装置３の出力領域は、第１方向Ｈ１に垂直な方向および／または第２方向Ｈ２に完全において構築空間に及んでおり、および／または 印刷装置のプリントヘッド７の出力領域は、第２方向Ｈ２に直交する方向および／または第１方向Ｈ１に延びている、および／または プリントヘッド７の出力領域は、第２方向Ｈ２に垂直な方向および／または第１方向Ｈ１において、構築空間Ｂ１よりも短く、および／またはコーティング装置によって移動される距離よりも短く、例えば、実質的にコーティング装置３によって移動する距離の半分の大きさまたはそれよりも小さくてもよい上記１から４のいずれか１項に記載の３Ｄプリンタ。 
【０１０５】
６．第１方向Ｈ１と第２方向Ｈ２は交差し、それにより角度、例えば実質的に９０°の角度を形成する、および／または構築空間Ｂ１は、平面視において、例えば２つの長辺および２つの短辺を有する長方形に形成され、例えば、第１方向Ｈ１が構築空間Ｂ１の長辺に対して実質的に平行である、および／または コーティング装置３によって移動される距離Ｓ１は、第２方向Ｈ２に沿って構築空間Ｂ１を横切って印刷装置５によって移動される単一距離Ｓ２よりも、例えば少なくとも１．２の係数まで大きい、および／または 第２方向Ｈ２に沿って構築空間Ｂ１を横切って印刷装置５によって移動される単一距離Ｓ２は１．０ｍから１．４ｍ、たとえば１．２ｍである上記１から５のいずれか１項に記載の３Ｄプリンタ。
【０１０６】
７．制御装置Ｃは、コーティング装置３および印刷装置５、例えば請求項２のプリントヘッド７を、第１方向に見て、共通の、第１側から、構築空間を横切って、第１方向に見て、反対側の、第２側に移動させるように構成されており、それによって粒状物質および流動性の処理剤をそれぞれ分配させ、その後、任意に、コーティング装置３および印刷装置５が、第２側から第１側に戻って、それによって粒状物質または流動性の処理剤をそれぞれ再び分配するように移動させられる上記１から６のいずれか１項に記載の３Ｄプリンタ。
【０１０７】
８．第１構築空間Ｂ１と、これに隣接する第２構築空間Ｂ２に１つ以上の３次元部品を層状に形作るように構成されており、第１構築空間Ｂ１に第１コーティング装置３が割り当てられ、第２構築空間Ｂ２に第２コーティング装置１３が割り当てられ、それぞれの構築空間に、固化される構築材料の均一な構築材料層の形態で構築材料を供給するため、それぞれ第１構築空間Ｂ１を横切る第１方向Ｈ１と第２構築空間Ｂ２を横切る第１方向Ｈ１に実質的に平行である第３方向Ｈ３にそれぞれ移動可能であり、第１構築空間Ｂ１の先に塗布された構築材料層の部分領域および第２構築空間Ｂ２の先に塗布された構築材料層の部分領域に流動性の処理剤を制御された方法で分配するため、第１及び第３方向Ｈ１、Ｈ３に対して角度をつけて配置された第２方向Ｈ２において第１構築空間Ｂ１及び第２構築空間Ｂ２を横切って移動可能である共通の印刷装置５を有し、第１構築空間Ｂ１を横切る第１方向Ｈ１における第１コーティング装置３の移動と第２構築空間Ｂ２を横切る第３方向Ｈ３における第２コーティング装置１３の移動が第１構築空間Ｂ１を横切る第２方向Ｈ２における印刷装置５の移動と第２構築空間Ｂ２を横切る第２方向Ｈ２における印刷装置５の移動の少なくとも一方と時間的に重なるように、および／または、第１コーティング装置３による第１構築空間Ｂ１への構築材料の供給と第２コーティング装置１３による第２構築空間Ｂ２への構築材料の供給が、第１構築空間Ｂ１および第２構築空間Ｂ２の少なくとも一つの先に塗布された構築材料層への流動性の処理剤の制御された分配と時間的に重なるように、第１コーティング装置３、第２コーティング装置１３および共通の印刷装置５を制御するように構成されている制御装置Ｃによって特徴づけられる３Ｄプリンタ。
【０１０８】
９．印刷装置５が第１方向Ｈ１に変位可能なプリントヘッド７を備え、制御装置Ｃは例えばプリントヘッド７が、例えばＵ字形経路またはＳ字形経路に沿って、完全に蛇行するパターンで第１及び第２構築空間Ｂ１，Ｂ２を横切って移動するように、第１構築空間Ｂ１の構築材料層と第２構築空間Ｂ２の構築材料層を選択的に印刷するため、第１及び第２構築空間Ｂ１，Ｂ２を横切って第２方向Ｈ２に複数回プリントヘッドを移動させるように構成され、および／または第１方向Ｈ１に沿って第１構築空間Ｂ１を横切る第１コーティング装置３によって移動する距離Ｓ１は、第２方向Ｈ２に沿って第１構築空間Ｂ１を横切る印刷装置５によって移動する(単一の)距離Ｓ２１以上であってもよく、例えば、少なくとも１．２の係数まで大きくてもよく、および／または第３方向Ｈ３に沿って第２構築空間Ｂ１を横切る第２コーティング装置１３によって移動する距離Ｓ３は、第２方向Ｈ２に沿って第２構築空間Ｂ２を横切る印刷装置５によって移動する(単一の)距離Ｓ２２以上であってもよく、例えば、少なくとも１．２の係数まで大きくてもよく、および／または 第１コーティング装置３および第２コーティング装置１３がそれぞれ、双方向コーティング装置として構成され、および／または印刷装置５が双方向印刷装置として構成される上記８に記載の３Ｄプリンタ。
【０１０９】
１０．第１構築空間Ｂ１と第２構築空間Ｂ２が実質的に同じ形状と大きさを有し、および／または 第１構築空間Ｂ１と第２構築空間Ｂ２が第２方向Ｈ２に見て交互に配置され、および／または 第１構築空間Ｂ１および第２構築空間Ｂ２がそれぞれ、例えば２つの長辺および２つの短辺を有する長方形に形成され、第１および第２構築空間Ｂ１、Ｂ２は互いに隣接する２つの長辺を有するように配置され、および／または第１方向Ｈ１および第３方向Ｈ３がそれぞれ第１構築空間の長辺と第２構築空間の長辺に対して実質的に平行であり、および／または第１コーティング装置３の出力領域が第１方向Ｈ１に垂直な方向および／または第２方向Ｈ２に完全に第１構築空間Ｂ１に及んでおり、および／または第２コーティング装置１３の出力領域が第３方向Ｈ３に垂直な方向および／または第２方向Ｈ２に完全に第２構築空間Ｂ２に及んでおり、および／または印刷装置のプリントヘッド７の出力領域が第２方向Ｈ２に垂直な方向および／または第１方向Ｈ１に延びており、および／またはプリントヘッド７の出力領域が第２方向Ｈ２に垂直な方向および／または第１方向Ｈ１において第１構築空間Ｂ１より短く、および／または第１コーティング装置３によって移動する距離よりも短く、例えば、実質的に半分の大きさまたはそれよりも小さく、および／または第２方向Ｈ２に沿って第１構築空間Ｂ１を横切って印刷装置５により移動する単一の距離Ｓ２１は１．０ｍから１．４ｍ、例えば１．２ｍであり、および／または第２方向Ｈ２に沿って第２構築空間Ｂ２を横切って印刷装置５により移動する単一の距離Ｓ２２は１．０ｍから１．４ｍ、例えば１．２ｍであり、および／または 第１コーティング装置３、第２コーティング装置１３および共通の印刷装置５が第１及び第３方向に見て、共通の、第１側から、第１および第２構築空間を横切って、第１及び第３方向に見て、反対側の、第２側に移動するよう制御装置Ｃを構成し、それによって粒状物質および流動性の処理剤をそれぞれ分配し、そしてその後任意に第１コーティング装置３、第２コーティング装置１３および共通の印刷装置５が第２側から第１側に戻り、それによって粒状物質および流動性の処理剤をそれぞれ再び分配するように移動させる上記８または９に記載の３Ｄプリンタ。
【０１１０】
１１.  ３Ｄプリンタの構築空間内で、少なくとも１つの３次元部品、例えば鋳造型または鋳造中子を製造するためそれぞれの層を塗布する方法であり、構築空間Ｂ１を横切って第１方向Ｈ１に移動するコーティング装置３を用いて、各層を塗布し、例えば砂粒子を含む粒状の構築材料が重ね合わされた層を形成し、先に塗布された構築材料層の部分領域に流動性の処理剤を制御された方法で出力するため、構築空間Ｂ１を横切る第２方向Ｈ２に移動される印刷装置５を用いて１つ以上の隣接する構築材料層をそれぞれの部分領域に選択的に印刷し、その処理剤はその選択的な固化に寄与する生成的製造プロセスであって、コーティング装置３と印刷装置５が時間的に重なるように構築空間Ｂ１を横切って移動し、および／またはコーティング装置３と印刷装置５が重なる方法でそれぞれ構築材料を構築空間Ｂ１に供給し、流動性の処理剤を先の塗布された構築材料層の部分領域に分配することを特徴とする生成的製造プロセス。
【０１１１】
１２．印刷装置５が第１方向Ｈ１に変位可能なプリントヘッド７を備え、例えばプリントヘッド７がＵ字形経路またはＳ字形経路に沿って完全に蛇行するパターンで構築空間Ｂ１を横切って移動するように、構築材料層を選択的に印刷するために構築空間Ｂ１を横切って第２方向Ｈ２に複数回プリントヘッド７が移動され、および／またはコーティング装置３が第１方向Ｈ１に沿って構築空間Ｂ１を横切って移動する距離Ｓ１が第２方向Ｈ２に沿って構築空間Ｂ１を横切って一旦移動する際に印刷装置５によって移動される距離Ｓ２以上であり、双方向コーティング装置がコーティング装置３として使用され、および／または粒状構造材料が第１方向に移動の間および第１方向へ戻る移動の間にコーティング装置３により分配され、および／または双方向印刷装置が印刷装置５として使用され、および／または流動性の処理剤が第２方向に移動の間および第２方向へ戻る移動の間に印刷装置５により分配され、および／またはコーティング装置３およびプリントヘッド７が、第１方向に見て、共通の、第１側から出発して、構築空間を横切って、第１方向に見て、反対側の、第２側に移動され、それにより粒状材料および流動性の処理剤をそれぞれ分配され、その後、任意に、コーティング装置３およびプリントヘッド７を第２側から第１側に戻って移動させ、それにより粒状物質および流動性の処理剤を再びそれぞれ分配する上記１１に記載の生成的製造プロセス。
【０１１２】
１３．コーティング装置３の出力領域が、第１方向Ｈ１に垂直な方向におよび／または第２方向Ｈ２において完全に構築空間に及んでおり、および／または 印刷装置のプリントヘッド７の出力領域は、第２方向Ｈ２に直交する方向および／または第１方向Ｈ１に延びており、および／または プリントヘッド７の出力領域は、第２方向Ｈ２に垂直な方向および／または第１方向Ｈ１において、構築空間Ｂ１よりも短く、および／またはコーティング装置によって移動される距離よりも短く、例えば、実質的にコーティング装置３によって移動する距離の半分の大きさまたはそれよりも小さく、および／または第１方向Ｈ１と第２方向Ｈ２はそれぞれ交差し、それにより角度、例えば実質的に９０°の角度を形成し、および／または構築空間Ｂ１は、平面視において、例えば２つの長辺および２つの短辺を有する長方形に形成され、例えば、第１方向Ｈ１が構築空間Ｂ１の長辺に対して実質的に平行であり、および／または コーティング装置３によって移動される距離Ｓ１は、第２方向Ｈ２に沿って構築空間Ｂ１を横切って印刷装置５によって移動される単一距離Ｓ２よりも、例えば少なくとも１．２の係数まで大きく、および／または 第２方向Ｈ２に沿って構築空間Ｂ１を横切って印刷装置５によって移動される単一距離Ｓ２は１．０ｍから１．４ｍ、たとえば１．２ｍである上記１１または１２に記載の生成的製造プロセス。
【０１１３】
１４．３Ｄプリンタの第１構築空間Ｂ１内で、少なくとも１つの３次元部品、例えば鋳造型または鋳造中子、および第１構築空間Ｂ１に隣接して配置された３Ｄプリンタの第２構築空間Ｂ２内で、少なくとも１つの３次元部品、例えば鋳造型または鋳造中子を製造するための方法であり、第１構築空間Ｂ１を横切って第１方向Ｈ１に移動される第１コーティング装置３を用いて各層を塗布し、第１構築空間Ｂ１内に、重ね合わされた粒状の構築材料の層、例えば砂粒子の層を形成し、第１方向Ｈ１に実質的に平行な第３方向Ｈ３に第２構築空間Ｂ２を横切って移動される第２コーティング装置３を用いて各層を塗布し、第２構築空間Ｂ２内に、重ね合わされた粒状の構築材料の層、例えば砂粒子の層を形成し、第１構築空間Ｂ１内の先に塗布された構築材料層の部分領域と、第２構築空間Ｂ２内の先に塗布された構築材料層の部分領域に、それぞれの構築材料層の選択的な固化に寄与する、流動性の処理剤を制御された方法で分配するため、第１及び第３方向Ｈ１、Ｈ３に対して角度をつけて配置された第２方向Ｈ２に第１構築空間Ｂ１及び第２構築空間Ｂ２を横切って移動した共通の印刷装置５を用いて、第１構築空間Ｂ１内のそれぞれの部分領域に複数の隣接する構築材料層を選択的に印刷し、第２構築空間Ｂ２内のそれぞれの部分領域に複数の隣接する構築材料層を選択的に印刷する生成的製造プロセスであって、第１構築空間Ｂ１を横切る第１方向Ｈ１の第１コーティング装置３の移動と、第２構築空間Ｂ２を横切る第３方向Ｈ３の第２コーティング装置１３の移動が、第１構築空間Ｂ１を横切る第２方向Ｈ２の共通の印刷装置５の移動と第２構築空間Ｂ２を横切る第２方向Ｈ２の共通の印刷装置５の移動の少なくとも一方と時間的に重なるように実施され、および／または、第１コーティング装置３による第１構築空間Ｂ１への構築材料の供給と、第２コーティング装置１３による第２構築空間Ｂ２への構築材料の供給が、第１構築空間Ｂ１および第２構築空間Ｂ２の少なくとも一方の先に塗布された構築材料層への流動性の処理剤の制御された分配と時間的に重なるよう実施されることを特徴とする生成的製造プロセス。
【０１１４】
１５．共通の印刷装置５が第１方向Ｈ１に変位可能な共通のプリントヘッド７を備え、プリントヘッド７が、例えばＵ字形経路またはＳ字形経路に沿って、完全に蛇行するパターンで第１及び第２構築空間Ｂ１，Ｂ２を横切って移動するように、第１構築空間Ｂ１の構築材料層と第２構築空間Ｂ２の構築材料層を選択的に印刷するため、第１及び第２構築空間Ｂ１，Ｂ２を横切って第２方向Ｈ２に複数回共通のプリントヘッド７を移動させ、および／または第１方向Ｈ１に沿って第１構築空間Ｂ１を横切る第１コーティング装置３によって移動する距離Ｓ１は、第２方向Ｈ２に沿って第１構築空間Ｂ１を横切る印刷装置５によって移動する(単一の)距離Ｓ２１以上であってもよく、例えば、少なくとも１．２の係数まで大きくてもよく、および／または第３方向Ｈ３に沿って第２構築空間Ｂ１を横切る第２コーティング装置１３によって移動する距離は、第２方向Ｈ２に沿って第２構築空間Ｂ２を横切る印刷装置５によって移動する(単一の)距離Ｓ２２以上であってもよく、例えば、少なくとも１．２の係数まで大きくてもよく、および／または 第１コーティング装置３および第２コーティング装置１３がそれぞれ、双方向コーティング装置として動作し、および／または印刷装置５が双方向印刷装置として動作し、および／または第１構築空間Ｂ１と第２構築空間Ｂ２が実質的に同じ形状と大きさを有し、および／または第１構築空間Ｂ１と第２構築空間Ｂ２が第２方向Ｈ２に見て交互に配置され、および／または第１構築空間Ｂ１および第２構築空間Ｂ２がそれぞれ、例えば２つの長辺および２つの短辺を有する長方形に形成され、第１および第２構築空間Ｂ１、Ｂ２は互いに隣接する２つの長辺を有するように配置され、および／または第１方向Ｈ１および第３方向Ｈ３がそれぞれ第１と第２構築空間Ｂ１、Ｂ２の長辺に対して実質的に平行であり、および／または第１コーティング装置３の出力領域が第１方向Ｈ１に垂直な方向および／または第２方向Ｈ２において完全に第１構築空間Ｂ１に及んでおり、および／または第２コーティング装置１３の出力領域が第３方向Ｈ３に垂直な方向および／または第２方向Ｈ２において完全に第２構築空間Ｂ２に及んでおり、および／または印刷装置のプリントヘッド７の出力領域が第２方向Ｈ２に垂直な方向および／または第１方向Ｈ１に延びており、および／またはプリントヘッド７の出力領域が第２方向Ｈ２に垂直な方向および／または第１方向Ｈ１において第１構築空間Ｂ１より短く、および／または第１コーティング装置３によって移動する距離よりも短く、例えば、実質的に半分の大きさまたはそれよりも小さく、および／または第２方向Ｈ２に沿って第１構築空間Ｂ１を横切って印刷装置５により移動する単一の距離Ｓ２１は１．０ｍから１．４ｍ、例えば１．２ｍであり、および／または第２方向Ｈ２に沿って第２構築空間Ｂ２を横切って印刷装置５により移動する単一の距離Ｓ２２は１．０ｍから１．４ｍ、例えば１．２ｍであり、および／または 第１コーティング装置３、第２コーティング装置１３およびプリントヘッド７が第１及び第３方向に見て、共通の、第１側から、第１および第２構築空間を横切って、第１及び第３方向に見て、反対側の、第２側に移動され、それによって粒状物質および流動性の処理剤をそれぞれ分配し、そしてその後任意に第１コーティング装置３、第２コーティング装置１３およびプリントヘッド７が第２側から第１側に戻り、それによって粒状物質および流動性の処理剤をそれぞれ再び分配する上記１４に記載の生成的製造プロセス。
【０１１５】
１６．第１構築空間Ｂ１と、これに隣接する第２構築空間Ｂ２に１つ以上の３次元部品、例えば鋳造型または鋳造中子、を層状に同時に形作るように構成されており、第１構築空間Ｂ１に第１コーティング装置３が割り当てられ、第２構築空間Ｂ２に第２コーティング装置１３が割り当てられ、それぞれの構築空間に、固化される構築材料の均一な構築材料層の形態で構築材料を供給するため、それぞれ第１構築空間Ｂ１を横切る第１方向Ｈ１と、第２構築空間Ｂ２を横切る、第１方向Ｈ１に実質的に平行である第３方向Ｈ３に移動可能であり、第１構築空間Ｂ１の先に塗布された構築材料層の部分領域および第２構築空間Ｂ２の先に塗布された構築材料層の部分領域に流動性の処理剤を制御された方法で出力するため、第１及び第３方向Ｈ１、Ｈ３に対して角度をつけて配置された第２方向Ｈ２において第１構築空間Ｂ１及び第２構築空間Ｂ２を横切って移動可能である共通の印刷装置５を有し、第１方向Ｈ１に沿って第１構築空間Ｂ１を横切る第１コーティング装置３によって移動する距離Ｓ１は、第２方向Ｈ２に沿って第１構築空間Ｂ１を横切る印刷装置５によって移動する(単一の)距離Ｓ２１以上であり、例えば、少なくとも１．２の係数まで大きく、および／または第３方向Ｈ３に沿って第２構築空間Ｂ２を横切る第２コーティング装置１３によって移動する距離Ｓ３は、第２方向Ｈ２に沿って第２構築空間Ｂ２を横切る印刷装置５によって移動する(単一の)距離Ｓ２２以上であり、例えば、少なくとも１．２の係数まで大きく、および／または 第１構築空間Ｂ１および第２構築空間Ｂ２がそれぞれ、平面視において、２つの長辺および２つの短辺を有し、第１および第２構築空間Ｂ１、Ｂ２は互いに隣接する２つの長辺を有するように配置され、および／または第１方向Ｈ１および第３方向Ｈ３がそれぞれ第１構築空間の長辺と第２構築空間の長辺に対して実質的に平行である３Ｄプリンタ。
【０１１６】
特定の例示的な実施形態の前述の説明は、例示および説明のために提示されてきた。網羅的であること、または開示された正確な形態に限定することは意図されておらず、ここにおいて本明細書に開示された教示に照らして、様々な修正および変形が可能であることが理解されるべきである。保護の範囲は、添付の特許請求の範囲及びこれに準ずるものによって定義される。
【図１】
2021508625.tif 000003
【図２】
2021508625.tif 000004
【図３】
2021508625.tif 000005
【図４】
2021508625.tif 000006
【図５】
2021508625.tif 000007
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
第１構築空間（Ｂ１）と、これに隣接する第２構築空間（Ｂ２）とにおいて１つ以上の３次元部品を層状に形作るように構成され、
第１構築空間（Ｂ１）に第１コーティング装置（３）が割り当てられ、第２構築空間（Ｂ２）に第２コーティング装置（１３）が割り当てられ、それぞれの構築空間に、固化される構築材料の均一な構築材料層の形態で構築材料を供給するために、それぞれ第１構築空間（Ｂ１）を横切る第１方向（Ｈ１）と第２構築空間（Ｂ２）を横切る第１方向（Ｈ１）に実質的に平行である第３方向（Ｈ３）にそれぞれ移動可能であり、
第１構築空間（Ｂ１）の先に塗布された構築材料層の部分領域および第２構築空間（Ｂ２）の先に塗布された構築材料層の部分領域に流動性の処理剤を制御された方法で出力するために、第１及び第３方向（Ｈ１、Ｈ３）に対して角度をつけて配置された第２方向（Ｈ２）において第１構築空間（Ｂ１）及び第２構築空間（Ｂ２）を横切って移動可能である共通の印刷装置５を有し、
第１コーティング装置（３）の出力領域が、第１方向（Ｈ１）に垂直な方向において完全に第１構築空間（Ｂ１）に及んでおり、
第２コーティング装置（１３）の出力領域が第３方向（Ｈ３）に垂直な方向に完全に第２構築空間（Ｂ２）に及んでおり、
第１方向（Ｈ１）に沿って第１構築空間（Ｂ１）を横切る第１コーティング装置（３）によって移動する距離（Ｓ１）は、第２方向（Ｈ２）に沿って第１構築空間（Ｂ１）を横切る印刷装置（５）によって移動する(単一の)距離（Ｓ２１）以上であり、
第３方向（Ｈ３）に沿って第２構築空間（Ｂ２）を横切る第２コーティング装置（１３）によって移動する距離（Ｓ３）は、第２方向（Ｈ２）に沿って第２構築空間（Ｂ２）を横切る印刷装置（５）によって移動する(単一の)距離（Ｓ２２）以上であり、
第１構築空間（Ｂ１）を横切る第１方向（Ｈ１）における第１コーティング装置（３）の移動と、第２構築空間（Ｂ２）を横切る第３方向（Ｈ３）における第２コーティング装置（１３）の移動とが、第１構築空間（Ｂ１）を横切る第２方向（Ｈ２）における印刷装置（５）の移動と第２構築空間（Ｂ２）を横切る第２方向（Ｈ２）における印刷装置（５）の移動の少なくとも一方と時間的に重なるように、および／または、第１コーティング装置（３）による第１構築空間（Ｂ１）への構築材料の供給と第２コーティング装置（１３）による第２構築空間（Ｂ２）への構築材料の供給とが、第１構築空間（Ｂ１）および第２構築空間（Ｂ２）の少なくとも一つの先に塗布された構築材料層への流動性の処理剤の制御された出力と時間的に重なるよう、第１コーティング装置（３）、第２コーティング装置（１３）および共通の印刷装置（５）を制御するよう構成された制御装置（Ｃ）をさらに備える、３Ｄプリンタ（１０）。
【請求項２】
印刷装置（５）が第１方向（Ｈ１）に変位可能なプリントヘッド（７）を備え、制御装置（Ｃ）が、例えばプリントヘッド（７）が、例えばＵ字形経路またはＳ字形経路に沿って、完全に蛇行するパターンで第１及び第２構築空間（Ｂ１，Ｂ２）を横切って移動するように、第１構築空間（Ｂ１）の構築材料層と第２構築空間（Ｂ２）の構築材料層を選択的に印刷するため、第１及び第２構築空間（Ｂ１，Ｂ２）を横切って第２方向（Ｈ２）に複数回プリントヘッドを移動させるように構成され、
第１方向（Ｈ１）に沿って第１構築空間（Ｂ１）を横切る第１コーティング装置（３）によって移動する距離（Ｓ１）は、第２方向（Ｈ２）に沿って第１構築空間（Ｂ１）を横切る印刷装置（５）によって移動する(単一の)距離Ｓ２１より少なくとも１．２の係数まで大きく、および／または
第３方向（Ｈ３）に沿って第２構築空間Ｂ２を横切る第２コーティング装置（１３）によって移動する距離（Ｓ３）は、第２方向（Ｈ２）に沿って第２構築空間（Ｂ２）を横切る印刷装置（５）によって移動する(単一の)距離（Ｓ２２）より少なくとも１．２の係数まで大きく、および／または
第１コーティング装置（３）および第２コーティング装置（１３）がそれぞれ双方向コーティング装置として構成され、および／または印刷装置（５）が双方向印刷装置として構成される、請求項１に記載の３Ｄプリンタ（１０）。
【請求項３】
第１構築空間（Ｂ１）と第２構築空間（Ｂ２）が実質的に同じ形状と大きさを有し、および／または
第１構築空間（Ｂ１）と第２構築空間（Ｂ２）が第２方向（Ｈ２）に見て交互に配置され、および／または 
第１構築空間（Ｂ１）および第２構築空間（Ｂ２）がそれぞれ、例えば２つの長辺および２つの短辺を有する長方形に形成され、第１および第２構築空間（Ｂ１、Ｂ２）は互いに隣接する２つの長辺を有するように配置され、および／または第１方向（Ｈ１）および第３方向（Ｈ３）がそれぞれ第１構築空間の長辺と第２構築空間の長辺に対して実質的に平行であり、および／または
印刷装置のプリントヘッド（７）の出力領域が第２方向（Ｈ２）に垂直な方向および／または第１方向（Ｈ１）に延びており、および／または
第２方向（Ｈ２）に垂直な方向および／または第１方向（Ｈ１）におけるプリントヘッド（７）の出力領域が第１構築空間（Ｂ１）より短く、および／または第１コーティング装置（３）によって移動される距離（Ｓ１）よりも短く、例えば、実質的に半分の大きさまたはそれよりも小さく、および／または
第２方向（Ｈ２）に沿って第１構築空間（Ｂ１）を横切って印刷装置（５）により移動する単一の距離（Ｓ２１）は１．０ｍから１．４ｍ、例えば１．２ｍであり、および／または
第２方向（Ｈ２）に沿って第２構築空間（Ｂ２）を横切って印刷装置（５）により移動する単一の距離（Ｓ２２）は１．０ｍから１．４ｍ、例えば１．２ｍであり、および／または 
第１コーティング装置（３）、第２コーティング装置（１３）および共通の印刷装置（５）が第１及び第３方向に見て、共通の第１側から、第１および第２構築空間を横切って、第１及び第３方向に見て、反対側の第２側に移動するよう制御装置（Ｃ）を構成し、それによって粒状物質および流動性の処理剤をそれぞれ分配し、そして、その後任意に第１コーティング装置（３）、第２コーティング装置（１３）および共通の印刷装置（５）、例えばプリントヘッド（７）が第２側から第１側に戻り、それによって粒状物質および／または流動性の処理剤をそれぞれ再び分配する、請求項１または２に記載の３Ｄプリンタ（１０）。
【請求項４】
第２構築空間（Ｂ２）に隣接して配置された第３構築空間(Ｂ３）と、第３構築空間（Ｂ３）に割り当てられ、固化される構築材料の均一な構築材料層の形態で構築材料を第３構築空間(Ｂ３）に供給するために、第１方向(Ｈ１）に実質的に平行な第４方向（Ｈ４）に沿って第３構築空間（Ｂ３）を横切って移動可能な第３コーティング装置（２３）とをさらに備え、
３Ｄプリンタが第３構築空間（Ｂ３）に１つ以上の３次元部品を層状に形作るように構成され、
共通の印刷装置（５）は、第３構築空間（Ｂ３）の先に塗布された構築材料層の部分領域に流動性の処理剤を制御された方法で出力するため第３構築空間（Ｂ３）を横切って第２方向（Ｈ２）に移動可能であり、
第３コーティング装置（２３）の出力領域が第４方向（Ｈ４）に垂直な方向において完全に第３構築空間（Ｂ３）に及んでおり、 
第４方向（Ｈ４）に沿って第３構築空間（Ｂ３）を横切って第３コーティング装置（２３）が移動する距離が、第２方向（Ｈ２）に沿って第３構築空間（Ｂ３）を横切って印刷装置（５）が移動する(単一の)距離以上であり、
制御装置（Ｃ）は、関連する構築空間を横切るコーティング装置のそれぞれの移動が、構築空間（２、１２、２３）の少なくとも１つを横切る第２方向（Ｈ２）における共通の印刷装置（５）の移動と時間的に重なるように、および／または関連するコーティング装置によるそれぞれの構築空間への構築材料の供給が構築空間（２、１２、２３）の少なくとも１つに先に塗布された構築材料層への流動性の処理剤の制御された出力と時間的に重なるよう、第１コーティング装置（３）、第２コーティング装置（１３）、第３コーティング装置（２３）および共通の印刷装置（５）を制御するように構成される、請求項１〜３のいずれか一項に記載の３Ｄプリンタ（１０）。
【請求項５】
３Ｄプリンタの第１構築空間（Ｂ１）内で、少なくとも１つの３次元部品、例えば鋳造型または鋳造中子を、および第１構築空間（Ｂ１）に隣接して配置された３Ｄプリンタの第２構築空間（Ｂ２）内で、少なくとも１つの３次元部品、例えば鋳造型または鋳造中子を製造するための生成的製造プロセスであり、
前記第１構築空間（Ｂ１）を横切って第１方向（Ｈ１）に移動して各層を塗布する第１コーティング装置（３）を用いて、第１構築空間（Ｂ１）内に、重なり合った粒状の構築材料の層、例えば砂粒子を含む層を形成し、
第１方向に実質的に平行な第３方向（Ｈ３）に第２構築空間（Ｂ２）を横切って移動して各層を塗布する第２コーティング装置（３）を用いて、第２構築空間（Ｂ２）内に、重なり合った粒状の構築材料の層、例えば砂粒子を含む層を形成し、
第１構築空間（Ｂ１）内の先に塗布された構築材料層の部分領域と第２構築空間（Ｂ２）内の先に塗布された構築材料層の部分領域に、それぞれの構築材料層の選択的な固化に寄与する、流動性の処理剤を制御された方法で出力するため、第１及び第３方向（Ｈ１、Ｈ３）に対して角度をつけて配置されている第２方向（Ｈ２）に第１構築空間（Ｂ１）及び第２構築空間（Ｂ２）を横切って移動する共通の印刷装置（５）を用いて、第１構築空間（Ｂ１）内のそれぞれの部分領域に複数の隣接する構築材料層を選択的に印刷し、第２構築空間（Ｂ２）内のそれぞれの部分領域に複数の隣接する構築材料層を選択的に印刷し、
第１コーティング装置（３）の出力領域が第１方向（Ｈ１）に垂直な方向に完全に第１構築空間（Ｂ１）に及んでおり、 
第２コーティング装置（１３）の出力領域が第３方向（Ｈ３）に垂直な方向に完全に第２構築空間（Ｂ２）に及んでおり、 
第１方向（Ｈ１）に沿って第１構築空間（Ｂ１）を横切る第１コーティング装置（３）が移動する距離（Ｓ１）は、第２方向（Ｈ２）に沿って第１構築空間（Ｂ１）を横切る印刷装置（５）が移動する(単一の)距離（Ｓ２１）以上であり、 
第３方向（Ｈ３）に沿って第２構築空間（Ｂ２）を横切る第２コーティング装置（１３）が移動する距離（Ｓ３）は、第２方向（Ｈ２）に沿って第２構築空間（Ｂ２）を横切る印刷装置（５）が移動する(単一の)距離（Ｓ２２）以上であり、
第１構築空間（Ｂ１）を横切る第１方向（Ｈ１）の第１コーティング装置（３）の移動と第２構築空間（Ｂ２）を横切る第３方向（Ｈ３）の第２コーティング装置（１３）の移動が、第１構築空間（Ｂ１）を横切る第２方向（Ｈ２）の共通の印刷装置（５）の移動と第２構築空間（Ｂ２）を横切る第２方向（Ｈ２）の共通の印刷装置（５）の移動の少なくとも一方と時間的に重なるように実施され、および／または、第１コーティング装置（３）による第１構築空間（Ｂ１）への構築材料の供給と第２コーティング装置（１３）による第２構築空間（Ｂ２）への構築材料の供給が第１構築空間（Ｂ１）および第２構築空間（Ｂ２）の少なくとも一方の先に塗布された構築材料層への流動性の処理剤の制御された出力と時間的に重なるよう実施される、生成的製造プロセス。
【請求項６】
共通の印刷装置（５）が第１方向（Ｈ１）に変位可能な共通のプリントヘッド（７）を備え、共通のプリントヘッド（７）は、例えば、プリントヘッド（７）が、例えばＵ字形経路またはＳ字形経路に沿って、完全に蛇行するパターンで第１及び第２構築空間（Ｂ１，Ｂ２）を横切って移動するように、第１構築空間（Ｂ１）の構築材料層と第２構築空間（Ｂ２）の構築材料層を選択的に印刷するため、第１及び第２構築空間（Ｂ１，Ｂ２）を横切って第２方向Ｈ２に複数回移動し、および／または
第１方向（Ｈ１）に沿って第１構築空間（Ｂ１）を横切る第１コーティング装置（３）によって移動する距離（Ｓ１）は、第２方向（Ｈ２）に沿って第１構築空間（Ｂ１）を横切る印刷装置（５）によって移動する(単一の)距離（Ｓ２１）より少なくとも１．２の係数まで大きく、および／または
第３方向（Ｈ３）に沿って第２構築空間（Ｂ１）を横切る第２コーティング装置（１３）によって移動する距離（Ｓ３）は、第２方向（Ｈ２）に沿って第２構築空間（Ｂ２）を横切る印刷装置（５）によって移動する(単一の)距離（Ｓ２２）より少なくとも１．２の係数まで大きく、および／または
第１コーティング装置（３）および第２コーティング装置（１３）がそれぞれ双方向コーティング装置として動作し、および／または印刷装置（５）が双方向印刷装置として動作し、および／または
第１構築空間（Ｂ１）と第２構築空間（Ｂ２）が実質的に同じ形状と大きさを有し、および／または
第１構築空間（Ｂ１）と第２構築空間（Ｂ２）が第２方向（Ｈ２）に見て交互に配置され、および／または
第１構築空間（Ｂ１）および第２構築空間（Ｂ２）がそれぞれ、例えば２つの長辺および２つの短辺を有する長方形に形成され、第１および第２構築空間（Ｂ１、Ｂ２）は互いに隣接する２つの長辺を有するように配置され、および／または第１方向（Ｈ１）および第３方向（Ｈ３）がそれぞれ第１と第２構築空間（Ｂ１、Ｂ２）の長辺に対して実質的に平行であり、および／または
印刷装置のプリントヘッド７の出力領域が第２方向（Ｈ２）に垂直な方向および／または第１方向（Ｈ１）に延びており、および／または
プリントヘッド（７）の出力領域が第２方向（Ｈ２）に垂直な方向および／または第１方向（Ｈ１）において第１構築空間（Ｂ１）より短く、および／または第１コーティング装置（３）によって移動する距離（Ｓ１）よりも短く、例えば、実質的に半分の大きさまたはそれよりも小さく、および／または
第２方向（Ｈ２）に沿って第１構築空間（Ｂ１）を横切って印刷装置（５）により移動する単一の距離（Ｓ２１）は１．０ｍ〜１．４ｍ、例えば１．２ｍであり、および／または
第２方向（Ｈ２）に沿って第２構築空間（Ｂ２）を横切って印刷装置（５）により移動する単一の距離（Ｓ２２）は１．０ｍ〜１．４ｍ、例えば１．２ｍであり、および／または
第１コーティング装置（３）、第２コーティング装置（１３）およびプリントヘッド（７）が第１及び第３方向に見て、共通の第１側から、第１および第２構築空間を横切って、第１及び第３方向に見て、反対側の第２側に移動され、それによって粒状物質および流動性の処理剤をそれぞれ分配し、そしてその後任意に第１コーティング装置（３）、第２コーティング装置（１３）およびプリントヘッド（７）が第２側から第１側に戻り、それによって粒状物質および流動性の処理剤をそれぞれ再び分配する、
請求項５に記載の生成的製造プロセス。
横切って印刷装置（５）によって移動される単一距離（Ｓ２）は１．０ｍ〜１．４ｍ、たとえば１．２ｍである、請求項１３または１４に記載の生成的製造プロセス。
【国際調査報告】
2021508625.tif 000008
2021508625.tif 000009
2021508625.tif 000010
2021508625.tif 000011
2021508625.tif 000012